(57)【要約】モップ（１）の洗浄、脱水方法であって、前記モップはモップハンドルとモップヘッド（５）とを含み、モップヘッド（５）上に拭取部材が設けられ、拭取部材の洗浄、脱水をモップバケツ（２）内で行い、前記モップバケツ（２）内に支持ヘッド（６）が取り付けられ、モップ（１）の洗浄、脱水方法は洗浄時、支持ヘッド（６）が下部洗浄域に位置し、モップヘッド（５）が前記支持ヘッド（６）に取り外し可能に連結して洗浄するステップと、設定された洗浄時間を経た後、前記支持ヘッド（６）が自動的に上部脱水域に上昇し、モップヘッド（５）も支持ヘッド（６）に伴い上部脱水域に上昇されて脱水するステップと、脱水を終えた後、前記モップヘッド（５）が前記支持ヘッド（６）から離脱し、前記支持ヘッド（６）が自動的に下降して元の位置に戻るステップと、を含む。本発明の有利な効果として、洗い終えた後モップヘッド（５）は自動的に上昇し、洗い終えた後、手動でモップ（１）を高い位置に引き上げて脱水する必要がなく、本発明の洗浄と脱水操作が一体化し、操作が非常に便利である。
2019524286.tif 000002
【特許請求の範囲】
【請求項１】
モップはモップハンドルと前記モップハンドルに連結するモップヘッドとを含み、前記モップヘッド上に拭取部材が設けられ、前記拭取部材の洗浄、脱水をモップバケツ内で行うモップの洗浄、脱水方法であって、前記モップバケツ内に支持ヘッドが取り付けられ、モップの洗浄、脱水方法は洗浄時、前記支持ヘッドが下部洗浄域に位置し、前記モップヘッドが前記支持ヘッドに取り外し可能に連結して洗浄するステップと、設定された洗浄時間を経た後、前記支持ヘッドが自動的に上部脱水域に上昇し、前記モップヘッドも前記支持ヘッドに伴い上部脱水域に上昇されて脱水するステップと、脱水を終えた後、前記モップヘッドが前記支持ヘッドから離脱し、前記支持ヘッドが自動的に下降して元の位置に戻るステップと、を含むことを特徴とするモップの洗浄、脱水方法。
【請求項２】
前記モップヘッドは、前記モップハンドルに回転可能に連結され、洗浄時前記モップヘッドが下部洗浄域において前記支持ヘッドに支えられて前記支持ヘッドと同時に回転して洗浄され；脱水時、前記モップヘッドが上部脱水域において前記支持ヘッドに支えられて前記支持ヘッドと同時に回転して脱水されることを特徴とする、請求項１に記載のモップの洗浄、脱水方法。
【請求項３】
前記モップバケツ内に動力変換機構が設けられ、前記支持ヘッドは前記動力変換機構と連結され、洗浄時、回転している前記モップヘッドが前記支持ヘッドを回転させ、前記支持ヘッドが前記動力変換機構に作用することで、前記動力変換機構が前記支持ヘッドの上昇を駆動させ；前記モップヘッドの洗浄及び脱水を終えた後、前記支持ヘッドから離脱し、前記支持ヘッド及び前記動力変換機構が自動的に下降して元の位置に戻ることを特徴とする、請求項２に記載のモップの洗浄、脱水方法。
【請求項４】
前記動力変換機構は、中心軸を含み、前記支持ヘッドが前記中心軸上を嵌め込み、前記中心軸上にカムが更に嵌め込まれ、前記カムが前記支持ヘッドと連結し、前記カムの壁面にカム溝が設けられ；
前記カムに昇降筒を外嵌し、前記昇降筒の内壁にガイド突起が設けられ、前記ガイド突起は前記カム溝内に挿入され；
前記昇降筒内に前記昇降筒と連結する上昇降アセンブリが設けられ、前記上昇降アセンブリの下方に下昇降アセンブリが設けられ、前記下昇降アセンブリが連結アセンブリを通じて前記カムと連結され；
洗浄時、前記上昇降アセンブリは、前記昇降筒に伴い少しずつ一方向に上昇でき、前記下昇降アセンブリが前記カムに伴い少しずつ一方向に上昇でき、前記上昇降アセンブリと前記下昇降アセンブリは順次交互に上昇し、かつ前記上昇降アセンブリが前記下昇降アセンブリより先に上昇し；
前記モップヘッドは、洗浄及び脱水の終了後前記支持ヘッドから離脱され、前記支持ヘッド、前記昇降筒、前記カム、前記上昇降アセンブリ、前記連結アセンブリ、前記下昇降アセンブリが自動的に下降して元の位置に戻る、
ことを特徴とする、請求項３に記載のモップの洗浄、脱水方法。
【請求項５】
前記昇降筒外側に固定用ラチェットピースが更に設けられ、前記ラチェットピース上にラチェット歯列が設けられ；
前記上昇降アセンブリは、前記昇降筒と連結する上収容装置を含み、前記上収容装置内に前記ラチェットピースから離れる又は接近する上ラチェットアセンブリが設けられ、前記上ラチェットアセンブリの先端部に上ラチェットを有し、前記上ラチェットを前記ラチェット歯列内に挿入させることができ、また前記上ラチェットを前記ラチェット歯列に挿入させた後、前記ラチェット歯列が前記上ラチェットアセンブリの上昇のみを許容し、前記上ラチェットアセンブリの下降を許容せず；
前記下昇降アセンブリは、下部筐体と前記下部筐体内に連結される下収容装置とを含み、前記下収容装置内に前記ラチェットピースから離れる又は接近する下ラチェットアセンブリが設けられ、前記下ラチェットアセンブリの先端部に下ラチェットを有し、前記下ラチェットを前記ラチェット歯列内に挿入させることができ、また前記下ラチェットを前記ラチェット歯列に挿入させた後、前記ラチェット歯列が前記下ラチェットアセンブリの上昇のみを許容し、前記下ラチェットアセンブリの下降を許容せず；
前記中心軸にエジェクタブロックが更に設けられ、前記エジェクタブロックの下端に上方付勢弾性体が突っ張られ、前記上方付勢弾性体の上端が前記エジェクタブロックに突っ張られ、前記上方付勢弾性体の下端が前記下部筐体に突っ張られ；
前記中心軸が自由状態にある時、前記上ラチェットアセンブリの尾端と前記下ラチェットアセンブリの尾端は、前記エジェクタブロックに突っ張られず；洗浄時、前記モップヘッドは、前記中心軸を押圧すると、前記エジェクタブロックが前記上ラチェットアセンブリ及び前記下ラチェットアセンブリを外方へ押すことで、前記上ラチェット及び前記下ラチェットを前記ラチェット歯列内に挿入させる、
ことを特徴とする、請求項４に記載のモップの洗浄、脱水方法。
【請求項６】
前記上ラチェットアセンブリは、前記上収容装置内に位置する上移動部材を含み、前記上収容装置内に前記上移動部材を内方へ付勢する上内方付勢弾性体が設けられ；前記上移動部材内に上ラチェットブロックが設けられ、前記上ラチェットは、前記上ラチェットブロックの外端に設けられ、前記上移動部材内に前記上ラチェットブロックを外方へ付勢する上外方付勢弾性体が設けられ；
前記下ラチェットアセンブリは、前記下収容装置内に位置する下移動部材を含み、前記下収容装置内に前記下移動部材を内方へ付勢する下内方付勢弾性体が設けられ；前記下移動部材内に下ラチェットブロックが設けられ、前記下ラチェットは、前記下ラチェットブロックの外端に設けられ、前記下移動部材内に前記下ラチェットブロックを外方へ付勢する下外方付勢弾性体が設けられる、
ことを特徴とする、請求項５に記載のモップの洗浄、脱水方法。
【請求項７】
前記連結アセンブリは、前記中心軸上を嵌め込む連結スリーブを含み、前記連結スリーブと前記カムとの間が相対回転でき、前記エジェクタブロックが前記連結スリーブ内に位置し、前記下ラチェットアセンブリの前記下移動部材が前記連結スリーブ内に突入されることを特徴とする、請求項６に記載のモップの洗浄、脱水方法。
【請求項８】
前記動力変換機構は、中心弾性軸を含み、前記支持ヘッドが前記中心弾性軸内を嵌め込み；
前記支持ヘッドに従動フレームが固結され、前記従動フレーム内に弾性伸縮するスレッドブロックが設けられ、前記スレッドブロックにスレッドヘッドが設けられ、前記中心弾性軸に復帰弾性体が嵌め込まれ；
前記支持ヘッド及び支持ヘッド下延出部の外側にスレッドジャケットが設けられ、前記スレッドジャケットにインターナルスレッドが設けられ；
前記モップヘッドを押圧すると、前記中心弾性軸が押圧され、前記中心弾性軸を通じて前記スレッドブロックを突き出すことで、前記スレッドブロック上の前記スレッドヘッドと前記インターナルスレッドが嵌合し、回転している支持ヘッドが前記従動フレーム及び前記従動フレーム内の前記スレッドブロックを回転させ、回転している前記スレッドブロックがスレッド作用で上昇することで前記支持ヘッド及び前記中心弾性軸を上昇させ、前記モップヘッドが下部洗浄域にある時、回転して洗浄し、前記モップヘッドを上部脱水域までに上昇した時、回転し脱水し；
脱水を終えた後、前記モップヘッドは前記支持ヘッドから離脱し、前記中心弾性軸が前記復帰弾性体の作用下で上昇し、前記スレッドブロックが引き込まれることで、前記スレッドブロック上の前記スレッドヘッドが前記インターナルスレッドから離脱し、前記支持ヘッド、前記中心弾性軸及び前記従動フレームが自動的に落下する、
ことを特徴とする、請求項３に記載のモップの洗浄、脱水方法。
【請求項９】
前記従動フレームは、昇降機構に設けられ、前記支持ヘッドが前記昇降機構の上端に設けられることを特徴とする、請求項８に記載のモップの洗浄、脱水方法。
【請求項１０】
前記スレッドブロックの尾端に外方へ傾斜する傾斜面が設けられ、前記中心軸の下端は、前記傾斜面に当接され、中心軸が押圧された時、前記傾斜面の作用により前記スレッドブロックが外方へ突き出され；
前記従動フレーム内に内部収縮弾性体が更に設けられ、前記内部収縮弾性体の作用下で、前記スレッドブロックが内方へ前記従動フレーム内に引き込む、
ことを特徴とする、請求項８に記載のモップの洗浄、脱水方法。
【請求項１１】
前記支持ヘッドは、弾性昇降機構に連結し、前記弾性昇降機構の上端に設けられ、前記支持ヘッドと前記弾性昇降機構が同時に昇降し、前記モップバケツ内に前記弾性昇降機構に嵌合するガイド機構が設けられ；
洗浄時、前記弾性昇降機構と前記ガイド機構が嵌合し、前記支持ヘッド及び前記弾性昇降機構が低い位置に制限され、前記支持ヘッド上に支えられる前記モップヘッドが下部洗浄域に位置し；
洗い終えた後、前記弾性昇降機構はその自体の弾性力の作用下で上昇し、かつこの時前記弾性昇降機構と前記ガイド機構が嵌合し、前記支持ヘッド及び前記弾性昇降機構が高い位置に制限され、前記支持ヘッド上に支えられる前記モップヘッドが上部脱水域に位置する、
ことを特徴とする、請求項１に記載のモップの洗浄、脱水方法。
【請求項１２】
前記弾性昇降機構は、昇降フレームと弾性体とを含み、前記支持ヘッドが前記昇降フレームと連結し、前記昇降フレームにガイド突起が設けられ、前記弾性体が前記昇降フレームに付勢し、前記昇降フレームを上向きに動かせ；
前記ガイド機構は、前記モップバケツ内に回転可能に設けられた回転ガイド筒を含み、前記回転ガイド筒の内壁にガイド溝が設けられ、前記ガイド突起が前記ガイド溝内に位置し；前記ガイド溝は、洗浄溝と、前記洗浄溝に連通する遠心脱水溝とを含み、前記洗浄溝が低い位置にあり、前記遠心脱水溝が高い位置にあり；
前記洗浄溝の上側面に連続する歯形上位置決め溝が設けられ、前記洗浄溝の下側面に連続する歯形下位置決め溝が設けられ、前記歯形上位置決め溝は上斜面を備え、前記歯形下位置決め溝が下斜面を備え、洗浄時、前記ガイド突起は前記洗浄溝内に位置し、前記モップハンドルを押圧すると、前記モップヘッドが押圧されることで、前記支持ヘッド及び前記昇降フレームが押圧され、前記昇降フレーム上の前記ガイド突起が前記下斜面に沿って前記歯形下位置決め溝に押圧され；前記モップハンドルを上に引っ張ると、前記昇降フレーム及び前記支持ヘッドは、前記弾性体の作用下で上に移動され、前記昇降フレーム上の前記ガイド突起が前記上斜面に沿って前記歯形上位置決め溝内に上に移動されることで、前記モップヘッドが下部洗浄域内において回転し洗浄され；
前記遠心脱水溝は、前部連通溝と、後部連通溝と、前記前部連通溝と前記後部連通溝との間に位置する往復遠心脱水溝とを含み、前記前部連通溝が前方前記洗浄溝の末端にある前記歯形下位置決め溝と連通し、前記後部連通溝が後方前記洗浄溝の前端にある前記歯形下位置決め溝と連通し、前記往復遠心脱水溝が前記前部連通溝の上部と前記後部連通溝の上部を連通し、かつ前記往復遠心脱水溝の下端に遠心脱水支持部を備え；
前記モップハンドルを連続的に押圧し、上に引っ張ると、前記ガイド突起は前記遠心脱水溝前方の前記洗浄溝の末端にある前記歯形下位置決め溝内に移動した後、前記弾性体の弾性力下で前記昇降フレームが上に移動され、前記昇降フレーム上の前記ガイド突起が前記前部連通溝までに上に移動し、前記モップハンドルを押圧した後前記ガイド突起が前記遠心脱水支持部に支え；再度前記モップハンドルを連続的に押圧し、上に引っ張ると、前記昇降フレーム上の前記ガイド突起は、前記往復遠心脱水溝内において上下に往復運動することで、前記モップヘッドが上部脱水域内において回転し脱水され；
脱水を終えた後、前記昇降フレーム上の前記ガイド突起が前記往復遠心脱水溝の上端に当接するまで、モップを引き上げて前記支持ヘッド及び前記昇降フレームを上昇させ、さらにモップを引き上げて前記モップヘッドを前記支持ヘッドから離脱させ、前記支持ヘッド及び前記昇降フレームが前記後部連通溝に沿って後方前記洗浄溝の前端にある前記歯形下位置決め溝内に落下させる、
ことを特徴とする、請求項１１に記載のモップの洗浄、脱水方法。
【請求項１３】
前記支持ヘッドは、回転でき、前記回転ガイド筒が前記モップバケツ内に回転可能に設けられることを特徴とする、請求項１２に記載のモップの洗浄、脱水方法。
【請求項１４】
前記支持ヘッドの下端に能動クラッチ歯が設けられ、前記回転ガイド筒に受動クラッチ歯が設けられ、前記支持ヘッドは押圧された時、前記能動クラッチ歯が前記受動クラッチ歯に当接することで、前記支持ヘッドの回転により前記回転ガイド筒を回転させることを特徴とする、請求項１３に記載のモップの洗浄、脱水方法。
【請求項１５】
前記回転ガイド筒に導水筒を外嵌し、前記導水筒が前記回転ガイド筒に連結することを特徴とする、請求項１４に記載のモップの洗浄、脱水方法。
【請求項１６】
前記導水筒内に羽根が設けられることを特徴とする、請求項１５に記載のモップの洗浄、脱水方法。
【請求項１７】
前記導水筒の上端に洗浄時前記モップヘッド上の前記拭取部材と摩擦が発生できる洗浄盤が設けられることを特徴とする、請求項１５に記載のモップの洗浄、脱水方法。
【請求項１８】
前記モップハンドルは、電動モップハンドルであり、前記電動モップハンドル内に電動駆動機構が設けられ、前記電動駆動機構が前記モップヘッドと連結する前記モップハンドルの回転を駆動することを特徴とする、請求項１に記載のモップの洗浄、脱水方法。
【請求項１９】
モップバケツとモップとを含み、前記モップはモップハンドルと前記モップハンドルに連結するモップヘッドとを含み、洗浄時モップヘッドを水中に浸漬しない清掃用具であって、前記モップバケツ内に前記モップヘッドを支持するための支持部材、水を前記支持部材上に支持される前記モップヘッド部位に吸い上げて洗浄するための揚水装置が設けられることを特徴とする、洗浄時モップヘッドを水中に浸漬しない清掃用具。
【請求項２０】
前記モップヘッドは、回転でき、洗浄時、前記揚水装置が前記モップヘッドから提供される動力で駆動されることを特徴とする、請求項１９に記載の洗浄時モップヘッドを水中に浸漬しない清掃用具。
【請求項２１】
前記支持部材は、前記モップバケツ内に設けられ、前記モップヘッドと連結するための回転可能な支持ヘッドを含み、前記モップヘッドが前記支持ヘッドを回転させ；
前記揚水装置は、回転している前記支持ヘッドから動力を提供して駆動される、
ことを特徴とする、請求項２０に記載の洗浄時モップヘッドを水中に浸漬しない清掃用具。
【請求項２２】
前記モップバケツ内に回転できる回転装置が更に設けられ、前記回転装置は、前記支持ヘッドの下方に位置し、前記支持ヘッドの駆動を受けることで回転し；
前記回転装置は、導水路を備え、前記回転装置の回転時、前記モップバケツ内の水が前記導水路を経由して上に噴射される、
ことを特徴とする、請求項２１に記載の洗浄時モップヘッドを水中に浸漬しない清掃用具。
【請求項２３】
前記回転装置は、回転内筒と、前記回転内筒を外嵌すると共に前記回転内筒と連結する回転外筒とを含み、前記回転内筒と前記回転外筒との間で前記導水路を形成することを特徴とする、請求項２２に記載の洗浄時モップヘッドを水中に浸漬しない清掃用具。
【請求項２４】
前記支持ヘッドの下端に能動クラッチ歯が設けられ、前記回転装置上に受動クラッチ歯が設けられ、前記能動クラッチ歯は前記受動クラッチ歯に当接できることで、前記支持ヘッドの回転により前記回転装置を回転させることを特徴とする、請求項２２に記載の洗浄時モップヘッドを水中に浸漬しない清掃用具。
【請求項２５】
前記回転外筒の下部に下サンドイッチ層が設けられ、前記下サンドイッチ層は、前記導水路と連通し、前記回転内筒の下部が前記下サンドイッチ層の内壁間に連結されることを特徴とする、請求項２３又は２４に記載の洗浄時モップヘッドを水中に浸漬しない清掃用具。
【請求項２６】
前記導水路内に羽根が設けられることを特徴とする、請求項２２〜２４のいずれか一項に記載の洗浄時モップヘッドを水中に浸漬しない清掃用具。
【請求項２７】
前記下サンドイッチ層内に羽根が設けられることを特徴とする、請求項２５に記載の洗浄時モップヘッドを水中に浸漬しない清掃用具。
【請求項２８】
前記モップバケツは、清浄水を貯める清浄水バケツと、前記清浄水バケツ内に位置する洗浄カゴとを含み、前記支持ヘッドが前記洗浄カゴ内に位置し；
前記清浄水バケツ内に揚水装置が設けられ、前記揚水装置は、清浄水を前記洗浄カゴ内まで吸い上げる、
ことを特徴とする、請求項２１に記載の洗浄時モップヘッドを水中に浸漬しない清掃用具。
【請求項２９】
前記揚水装置と前記支持ヘッドとの間は、伝動機構を通じて連結することで、前記揚水装置が前記伝動機構で駆動されることを特徴とする、請求項２８に記載の洗浄時モップヘッドを水中に浸漬しない清掃用具。
【請求項３０】
前記揚水装置は、インペラーポンプであり、前記伝動機構が前記支持ヘッドと連結する駆動歯車と、前記インペラーポンプのインペラーと連結する従動歯車とを含み、前記駆動歯車が前記従動歯車と噛合できることを特徴とする、請求項２９に記載の洗浄時モップヘッドを水中に浸漬しない清掃用具。
【請求項３１】
前記清浄水バケツの底面に上に前記洗浄カゴを挿通する中軸が設けられ、前記支持ヘッドは、前記中軸の上端に設けられ、前記駆動歯車が前記中軸上を嵌め込むことを特徴とする、請求項３０に記載の洗浄時モップヘッドを水中に浸漬しない清掃用具。
【請求項３２】
前記中軸に上位置決め部及び下位置決め部が設けられ、前記駆動歯車は前記上位置決め部及び前記下位置決め部に位置決めすることができ；
前記駆動歯車は、前記上位置決め部に位置決めした時、前記駆動歯車と前記従動歯車を分離し、前記駆動歯車が前記下位置決め部に位置決めした時、前記駆動歯車と前記従動歯車が噛合する、
ことを特徴とする、請求項３１に記載の洗浄時モップヘッドを水中に浸漬しない清掃用具。
【請求項３３】
前記モップバケツ内に洗浄汚水をろ過するめの過濾装置が更に設けられることを特徴とする、請求項１９に記載の洗浄時モップヘッドを水中に浸漬しない清掃用具。
【請求項３４】
モップヘッドと連結するための支持ヘッドを含み、洗浄カゴの洗浄、脱水に用いられる昇降位置決め機構であって、前記支持ヘッド内に中軸が貫設され、前記中軸に弾性復帰装置が設けられ、前記支持ヘッドは連結装置を通じて位置決め装置に連結され、前記中軸が前記位置決め装置に伴って昇降し、前記位置決め装置に弾性復元装置が設けられ；
前記中軸が外力で押圧された時、前記中軸の押圧作用において前記位置決め装置は径方向外方に突出し；前記中軸は、外力の作用がない時、前記弾性復帰装置の作用下で上昇し、この時前記位置決め装置が前記弾性復元装置の作用下で径方向に引き込む、
ことを特徴とする、洗浄カゴの洗浄、脱水に用いられる昇降位置決め機構。
【請求項３５】
前記位置決め装置は、斜面を備え、前記中軸が押圧された時、押圧作用力を前記斜面上に加えることで、前記位置決め装置を径方向外方に押し出すことを特徴とする、請求項３４に記載の洗浄カゴの洗浄、脱水に用いられる昇降位置決め機構。
【請求項３６】
前記位置決め装置は、前記連結装置と固結する固定枠と、前記固定枠中内に位置する伸縮部材とを含み、前記斜面が前記伸縮部材に設けられ、前記伸縮部材が外方に向けて前記固定枠を突出でき、前記弾性復元装置が前記固定枠中内に設けられかつ前記伸縮部材に作用することを特徴とする、請求項３５に記載の洗浄カゴの洗浄、脱水に用いられる昇降位置決め機構。
【請求項３７】
前記伸縮部材は、移動フレームと、前記移動フレーム内に位置する舌片とを含み、前記弾性復元装置が前記移動フレームに作用し、前記斜面が前記移動フレームの尾端に設けられ、前記舌片と前記移動フレームとの間に外方付勢弾性体が設けられ、前記外方付勢弾性体が前記舌片に作用することで、前記舌片に径方向外方に突き出すよう付勢されることを特徴とする、請求項３６に記載の洗浄カゴの洗浄、脱水に用いられる昇降位置決め機構。
【請求項３８】
前記中軸が押圧された時、前記斜面に直接作用することを特徴とする、請求項３７に記載の洗浄カゴの洗浄、脱水に用いられる昇降位置決め機構。
【請求項３９】
前記中軸の下端に押圧ヘッドが設けられ、前記中軸が押圧された時、前記押圧ヘッドが前記斜面に作用することを特徴とする、請求項３７に記載の洗浄カゴの洗浄、脱水に用いられる昇降位置決め機構。
【請求項４０】
前記連結装置は、前記支持ヘッドの下端に連結する連結筒であり、前記固定枠が前記連結筒の下部に連結されることを特徴とする、請求項３６〜３９のいずれか一項に記載の洗浄カゴの洗浄、脱水に用いられる昇降位置決め機構。
【請求項４１】
前記弾性復帰装置は、前記押圧ヘッドの下方に位置し、前記弾性復帰装置の上端が前記押圧ヘッドに突っ張り、前記弾性復帰装置の下端が前記固定枠に突っ張ることを特徴とする、請求項３９に記載の洗浄カゴの洗浄、脱水に用いられる昇降位置決め機構。
【請求項４２】
前記中軸にサークリップが設けられ、前記連結筒は、前記サークリップの上方に位置するストッパー部を備え、前記中軸が前記ストッパー部を挿通し；
前記弾性復帰装置は、前記中軸を嵌め込み、前記弾性復帰装置の上端が前記連結筒に突っ張り、前記弾性復帰装置の下端が前記固定枠に突っ張る、
ことを特徴とする、請求項４０に記載の洗浄カゴの洗浄、脱水に用いられる昇降位置決め機構。
【請求項４３】
前記伸縮部材は、スレッドブロックであり、前記斜面が前記スレッドブロックに設けられ、前記スレッドブロックにスレッドヘッドが設けられ、前記弾性復帰装置が前記中軸を嵌め込み、前記中軸が押圧された時、前記斜面に直接作用することを特徴とする、請求項３６に記載の洗浄カゴの洗浄、脱水に用いられる昇降位置決め機構。
【請求項４４】
前記固定枠は、昇降機構に設けられ、前記支持ヘッドが前記昇降機構の上端に設けられることを特徴とする、請求項４３に記載の洗浄カゴの洗浄、脱水に用いられる昇降位置決め機構。
【発明の詳細な説明】
【技術分野】
【０００１】
本発明は、モップの洗浄、脱水方法に関し、特に、洗浄時にモップヘッドを水中に浸さない清掃用具、及び洗浄カゴの洗浄、脱水に用いられる昇降位置決め機構に関する。
【背景技術】
【０００２】
従来技術において、あるモップの使用時昇降式洗浄、遠心脱水方法を用いており、特許番号２０１２２０５５３４３０．２、２０１４２０２５１７７９．Ｘ、２０１２２０６６８９３３．４、２０１３２０７０８９２８．６、２０１４２０１１８９６２．２等の中国特許はこのような方法を用いた清掃用具であり、清掃用具は一般的にモップとモップバケツとを含み；モップは、互いに嵌合される上部ハンドルと下部ハンドルとを含み、上部ハンドルと下部ハンドルとの間に上部ハンドルの押圧運動を下部ハンドルの回転運動に変換することができる駆動機構が設けられ、前記下部ハンドルの下端に回転可能なモップヘッドが設けられ；モップバケツ内に昇降機構が設けられ、洗浄時、モップヘッドを低い洗浄位置に入れて回転洗浄し、脱水時、モップを引き上げることで、昇降機構を上昇させると共に位置決めさせてから脱水位置で回転脱水する。
【０００３】
従来のこのようなモップの洗浄及び脱水方法には、さらに、洗浄操作及び脱水操作は、別々２つのステップであり、モップヘッド上の拭取部材の洗浄を終えた後、モップを引き上げると共に位置決めする操作ステップを行ってから脱水する必要があるため、全体的に言えば、操作が面倒であるという欠点が存在していた。
【０００４】
従来の清掃用具を洗浄する時、モップヘッドを水中に浸漬して洗浄しなければならず、洗浄時に水の抵抗力作用により、洗浄操作の手間が非常に多く、かつ水も跳ねしやすかった。
【０００５】
従来技術において、あるモップの使用時昇降式洗浄、遠心脱水方法を用いており、特許番号２０１２２０５５３４３０．２、２０１４２０２５１７７９．Ｘ、２０１２２０６６８９３３．４、２０１３２０７０８９２８．６、２０１４２０１１８９６２．２等の中国特許はこのような方法を用いた清掃用具であり、清掃用具は一般的にモップとモップバケツとを含み；モップは、互いに嵌合される上部ハンドルと下部ハンドルとを含み、上部ハンドルと下部ハンドルとの間に上部ハンドルの押圧運動を下部ハンドルの回転運動に変換することができる駆動機構が設けられ、前記下部ハンドルの下端に回転可能なモップヘッドが設けられ；モップバケツ内に昇降機構が設けられ、洗浄時、モップヘッドを低い洗浄位置に入れて回転洗浄し、脱水時、モップを引き上げることで、昇降機構を上昇させると共に位置決めさせてから脱水位置で回転脱水する。
【０００６】
従来のこのような洗浄カゴの昇降位置決め機構は、位置決めガイドレール溝の形態を用い、位置決めガイドレール溝が高い位置の位置決め部と低い位置の位置決め部とを備え、高い位置の位置決め部を通じて高い位置に固定することで、モップヘッドを高い位置に脱水し、低い位置の位置決め部を通じて低い位置に固定することでモップヘッドを低い位置で洗浄する。また前記洗浄カゴの昇降位置決め機構には、高い位置で脱水を終えた後自動的に落下できないという欠点が存在していた。
【発明の概要】
【発明が解決しようとする課題】
【０００７】
本発明は、従来のモップの洗浄、脱水方法の上記不足を克服するため、操作がより簡単なモップの洗浄、脱水方法を提供する。
【課題を解決するための手段】
【０００８】
本発明の上記技術的課題を解決する技術的解決策としては、モップの洗浄、脱水方法であって、前記モップはモップハンドルとモップヘッドとを含み、モップヘッド上に拭取部材が設けられ、拭取部材の洗浄、脱水をモップバケツ内で行い、前記モップバケツ内に支持ヘッドが取り付けられ、モップの洗浄、脱水方法は洗浄時、支持ヘッドが下部洗浄域に位置し、モップヘッドが前記支持ヘッドに取り外し可能に連結して洗浄するステップと、設定された洗浄時間を経た後、前記支持ヘッドが自動的に上部脱水域に上昇し、モップヘッドも支持ヘッドに伴い上部脱水域に上昇されて脱水するステップと、脱水を終えた後、前記モップヘッドが前記支持ヘッドから離脱し、前記支持ヘッドが自動的に下降して元の位置に戻るステップと、を含む。
【０００９】
さらに、前記モップヘッドは、前記モップハンドルに回転可能に連結され、洗浄時前記モップヘッドが下部洗浄域において前記支持ヘッドに支えられて支持ヘッドと同時に回転して洗浄され；脱水時、前記モップヘッドが上部脱水域において前記支持ヘッドに支えられて支持ヘッドと同時に回転して脱水される。
【００１０】
さらに、前記モップバケツ内に動力変換機構が設けられ、前記支持ヘッドは前記動力変換機構と連結され、洗浄時、回転しているモップヘッドが前記支持ヘッドを回転させ、前記支持ヘッドが前記動力変換機構に作用することで、前記動力変換機構が前記支持ヘッドの上昇を駆動させ；モップヘッドの洗浄及び脱水を終えた後、前記支持ヘッドから離脱し、前記支持ヘッド及び動力変換機構が自動的に下降して元の位置に戻る。
【００１１】
さらに、前記動力変換機構は、中心軸を含み、前記支持ヘッドが前記中心軸上を嵌め込み、前記中心軸上にカムが更に嵌め込まれ、前記カムが前記支持ヘッドと連結し、前記カムの壁面にカム溝が設けられ；
前記カムに昇降筒を外嵌し、前記昇降筒の内壁にガイド突起が設けられ、前記ガイド突起は前記カム溝内に挿入され；
前記昇降筒内に前記昇降筒と連結する上昇降アセンブリが設けられ、前記上昇降アセンブリの下方に下昇降アセンブリが設けられ、前記下昇降アセンブリが連結アセンブリを通じて前記カムと連結され；
洗浄時、前記上昇降アセンブリは、前記昇降筒に伴い少しずつ一方向に上昇でき、前記下昇降アセンブリが前記カムに伴い少しずつ一方向に上昇でき、前記上昇降アセンブリと前記下昇降アセンブリは順次交互に上昇し、かつ前記上昇降アセンブリが前記下昇降アセンブリより先に上昇し；
モップヘッドは、洗浄及び脱水の終了後前記支持ヘッドから離脱され、前記支持ヘッド、昇降筒、カム、上昇降アセンブリ、連結アセンブリ、下昇降アセンブリが自動的に下降して元の位置に戻る。
【００１２】
さらに、前記昇降筒外側に固定用ラチェットピースが更に設けられ、前記ラチェットピース上にラチェット歯列が設けられ；
前記上昇降アセンブリは、前記昇降筒と連結する上収容装置を含み、前記上収容装置内に前記ラチェットピースから離れる又は接近する上ラチェットアセンブリが設けられ、前記上ラチェットアセンブリの先端部に上ラチェットを有し、前記上ラチェットを前記ラチェット歯列内に挿入させることができ、また前記上ラチェットを前記ラチェット歯列に挿入させた後、前記ラチェット歯列が前記上ラチェットアセンブリの上昇のみを許容し、前記上ラチェットアセンブリの下降を許容せず；
前記下昇降アセンブリは、下部筐体と前記下部筐体内に連結される下収容装置とを含み、前記下収容装置内に前記ラチェットピースから離れる又は接近する下ラチェットアセンブリが設けられ、前記下ラチェットアセンブリの先端部に下ラチェットを有し、前記下ラチェットを前記ラチェット歯列内に挿入させることができ、また前記下ラチェットを前記ラチェット歯列に挿入させた後、前記ラチェット歯列が前記下ラチェットアセンブリの上昇のみを許容し、前記下ラチェットアセンブリの下降を許容せず；
前記中心軸にエジェクタブロックが更に設けられ、前記エジェクタブロックの下端に上方付勢弾性体が突っ張られ、前記上方付勢弾性体の上端が前記エジェクタブロックに突っ張られ、前記上方付勢弾性体の下端が前記下部筐体に突っ張られ；
前記中心軸が自由状態にある時、前記上ラチェットアセンブリの尾端と下ラチェットアセンブリの尾端は、前記エジェクタブロックに突っ張られず；洗浄時、前記モップヘッドは、前記中心軸を押圧すると、前記エジェクタブロックが前記上ラチェットアセンブリ及び下ラチェットアセンブリを外方へ押すことで、前記上ラチェット及び下ラチェットを前記ラチェット歯列内に挿入させる。
【００１３】
さらに、前記上ラチェットアセンブリは、前記上収容装置内に位置する上移動部材を含み、前記上収容装置内に前記上移動部材を内方へ付勢する上内方付勢弾性体が設けられ；前記上移動部材内に上ラチェットブロックが設けられ、前記上ラチェットは、前記上ラチェットブロックの外端に設けられ、前記上移動部材内に前記上ラチェットブロックを外方へ付勢する上外方付勢弾性体が設けられ；
前記下ラチェットアセンブリは、前記下収容装置内に位置する下移動部材を含み、前記下収容装置内に前記下移動部材を内方へ付勢する下内方付勢弾性体が設けられ；前記下移動部材内に下ラチェットブロックが設けられ、前記下ラチェットは、前記下ラチェットブロックの外端に設けられ、前記下移動部材内に前記下ラチェットブロックを外方へ付勢する下外方付勢弾性体が設けられる。
【００１４】
さらに、前記連結アセンブリは、前記中心軸上を嵌め込む連結スリーブを含み、前記連結スリーブと前記カムとの間が相対回転でき、前記エジェクタブロックが前記連結スリーブ内に位置し、前記下ラチェットアセンブリの下移動部材が前記連結スリーブ内に突入される。
【００１５】
別の動力変換機構の構造タイプとして、前記動力変換機構は、中心弾性軸を含み、前記支持ヘッドが前記中心弾性軸内を嵌め込み；
前記支持ヘッドに追動フレームが固結され、前記追動フレーム内に弾性伸縮するスレッドブロックが設けられ、前記スレッドブロックにスレッドヘッドが設けられ、前記中心弾性軸に復帰弾性体が嵌め込まれ；
前記支持ヘッド及び支持ヘッド下延出部の外側にスレッドジャケットが設けられ、前記スレッドジャケットにインターナルスレッドが設けられ；
前記モップヘッドを押圧すると、前記中心弾性軸が押圧され、中心弾性軸を通じて前記スレッドブロックを突き出すことで、前記スレッドブロック上のスレッドヘッドと前記インターナルスレッドが嵌合し、回転している支持ヘッドが追動フレーム及び追動フレーム内のスレッドブロックを回転させ、回転しているスレッドブロックがスレッド作用で上昇することで支持ヘッド及び中心弾性軸を上昇させ、モップヘッドが下部洗浄域にある時、回転して洗浄し、モップヘッドを上部脱水域までに上昇した時、回転し脱水し；
脱水を終えた後、モップヘッドは前記支持ヘッドから離脱し、前記中心弾性軸が復帰弾性体の作用下で上昇し、前記スレッドブロックが引き込まれることで、スレッドブロック上のスレッドヘッドがインターナルスレッドから離脱し、前記支持ヘッド、中心弾性軸及び追動フレームが自動的に落下する。
【００１６】
さらに、前記追動フレームは、昇降機構に設けられ、前記支持ヘッドが前記昇降機構の上端に設けられる。
【００１７】
さらに、前記スレッドブロックの尾端に外方へ傾斜する傾斜面が設けられ、前記中心軸の下端は、前記傾斜面に当接され、中心軸が押圧された時、前記傾斜面の作用により前記スレッドブロックが外方へ突き出され；
前記追動フレーム内に内部収縮弾性体が更に設けられ、前記内部収縮弾性体の作用下で、前記スレッドブロックが内方へ前記追動フレーム内に引き込む。
【００１８】
モップヘッドが下部洗浄域で洗浄し、上部脱水域で脱水する別の具体的実現構造として、前記支持ヘッドは弾性昇降機構に連結し、弾性昇降機構の上端に設けられ、前記支持ヘッドと前記弾性昇降機構が同時に昇降し、前記モップバケツ内に前記弾性昇降機構に嵌合するガイド機構が設けられ；
洗浄時、前記弾性昇降機構と前記ガイド機構が嵌合し、前記支持ヘッド及び弾性昇降機構が低い位置に制限され、支持ヘッド上に支えられるモップヘッドが下部洗浄域に位置し；
洗い終えた後、前記弾性昇降機構はその自体の弾性力の作用下で上昇し、かつこの時弾性昇降機構と前記ガイド機構が嵌合し、前記支持ヘッド及び弾性昇降機構が高い位置に制限され、支持ヘッド上に支えられるモップヘッドが上部脱水域に位置する。
【００１９】
さらに、前記弾性昇降機構は、昇降フレームと弾性体とを含み、前記支持ヘッドが前記昇降フレームと連結し、前記昇降フレームにガイド突起が設けられ、前記弾性体が前記昇降フレームに付勢し、前記昇降フレームを上向きに動かせ；
前記ガイド機構は、前記モップバケツ内に回転可能に設けられた回転ガイド筒を含み、前記回転ガイド筒の内壁にガイド溝が設けられ、前記ガイド突起が前記ガイド溝内に位置し；前記ガイド溝は、洗浄溝と、前記洗浄溝に連通する遠心脱水溝とを含み、前記洗浄溝が低い位置にあり、前記遠心脱水溝が高い位置にあり；
前記洗浄溝の上側面に連続する歯形上位置決め溝が設けられ、前記洗浄溝の下側面に連続する歯形下位置決め溝が設けられ、前記歯形上位置決め溝は上斜面を備え、前記歯形下位置決め溝が下斜面を備え、洗浄時、前記ガイド突起は前記洗浄溝内に位置し、前記モップハンドルを押圧すると、前記モップヘッドが押圧されることで、前記支持ヘッド及び昇降フレームが押圧され、前記昇降フレーム上のガイド突起が下斜面に沿って前記歯形下位置決め溝に押圧され；前記モップハンドルを上に引っ張ると、前記昇降フレーム及び支持ヘッドは、前記弾性体の作用下で上に移動され、前記昇降フレーム上のガイド突起が上斜面に沿って前記歯形上位置決め溝内に上に移動されることで、前記モップヘッドが下部洗浄域内において回転し洗浄され；
前記遠心脱水溝は、前部連通溝と、後部連通溝と、前記前部連通溝と後部連通溝との間に位置する往復遠心脱水溝とを含み、前記前部連通溝が前方洗浄溝の末端にある歯形下位置決め溝と連通し、前記後部連通溝が後方洗浄溝の前端にある歯形下位置決め溝と連通し、前記往復遠心脱水溝が前記前部連通溝の上部と後部連通溝の上部を連通し、かつ前記往復遠心脱水溝の下端に遠心脱水支持部を備え；
前記モップハンドルを連続的に押圧し、上に引っ張ると、前記ガイド突起は遠心脱水溝前方の洗浄溝の末端にある歯形下位置決め溝内に移動した後、前記弾性体の弾性力下で前記昇降フレームが上に移動され、前記昇降フレーム上のガイド突起が前記前部連通溝までに上に移動し、前記モップハンドルを押圧した後前記ガイド突起が前記遠心脱水支持部に支え；再度モップハンドルを連続的に押圧し、上に引っ張ると、前記昇降フレーム上のガイド突起は、前記往復遠心脱水溝内において上下に往復運動することで、前記モップヘッドが上部脱水域内において回転し脱水され；
脱水を終えた後、昇降フレーム上のガイド突起が往復遠心脱水溝の上端に当接するまで、モップを引き上げて支持ヘッド及び昇降フレームを上昇させ、さらにモップを引き上げてモップヘッドを前記支持ヘッドから離脱させ、前記支持ヘッド及び昇降フレームが前記後部連通溝に沿って後方洗浄溝の前端にある歯形下位置決め溝内に落下させる。
【００２０】
さらに、前記支持ヘッドは回転でき、前記回転ガイド筒が前記モップバケツ内に回転可能に設けられる。
【００２１】
さらに、前記支持ヘッドの下端に能動クラッチ歯が設けられ、前記回転ガイド筒に受動クラッチ歯が設けられ、前記支持ヘッドは押圧された時、前記能動クラッチ歯が前記受動クラッチ歯に当接することで、前記支持ヘッドの回転により前記回転ガイド筒を回転させる。
【００２２】
さらに、前記回転ガイド筒に導水筒を外嵌し、前記導水筒が前記回転ガイド筒に連結する。
【００２３】
さらに、前記導水筒内に羽根が設けられる。
【００２４】
さらに、前記導水筒の上端に洗浄時モップヘッド上の拭取部材と摩擦が発生できる洗浄盤が設けられる。
【００２５】
モップヘッド回転の別の実現形態として、前記モップハンドルは、電動モップハンドルであり、前記電動モップハンドル内に電動駆動機構が設けられ、前記電動駆動機構がモップヘッドと連結するモップハンドルの回転を駆動する。
【００２６】
本発明の有利な効果として、洗い終えた後モップヘッドは自動的に上昇し、洗い終えた後、手動でモップを高い位置に引き上げて脱水する必要がなく、本発明の洗浄と脱水操作が一体化し、操作が非常に便利である。
【００２７】
従来のモップバケツの上記不足を克服するため、本発明は洗浄時、モップヘッドを水中に浸漬する必要がないモップバケツを提供する。
【００２８】
本発明の上記技術的課題を解決する技術的解決策としては、洗浄時、モップヘッドを水中に浸漬しない清掃用具であって、モップバケツとモップとを含み、前記モップはモップハンドルと前記モップハンドルに連結するモップヘッドとを含み、前記モップバケツ内に前記モップヘッドを支持するための支持部材、水を前記支持部材上に支持されるモップヘッド部位に吸い上げて洗浄するための揚水装置が設けられる。
【００２９】
さらに、前記モップヘッドは、回転でき、洗浄時、前記揚水装置が前記モップヘッドから提供される動力で駆動される。
【００３０】
さらに、前記支持部材は、前記モップバケツ内に設けられ、前記モップヘッドと連結するための回転可能な支持ヘッドを含み、前記モップヘッドが支持ヘッドを回転させ；前記揚水装置は、回転している支持ヘッドから動力を提供して駆動される。
【００３１】
さらに、前記モップバケツ内に回転できる回転装置が更に設けられ、前記回転装置は、前記支持ヘッドの下方に位置し、前記支持ヘッドの駆動を受けることで回転し；前記回転装置は、導水路を備え、前記回転装置の回転時、モップバケツ内の水が前記導水路を経由して上に噴射される。
【００３２】
さらに、前記回転装置は、回転内筒と、前記回転内筒を外嵌すると共に前記回転内筒と連結する回転外筒とを含み、前記回転内筒と回転外筒との間で前記導水路を形成する。
【００３３】
さらに、前記支持ヘッドの下端に能動クラッチ歯が設けられ、前記回転装置上に受動クラッチ歯が設けられ、前記能動クラッチ歯は前記受動クラッチ歯に当接できることで、前記支持ヘッドの回転により前記回転装置を回転させる。
【００３４】
さらに、前記回転外筒の下部に下サンドイッチ層が設けられ、前記下サンドイッチ層は前記導水路と連通し、前記回転内筒の下部が前記下サンドイッチ層の内壁間に連結される。
【００３５】
さらに、前記導水路内に羽根が設けられる。
【００３６】
さらに、前記下サンドイッチ層内に羽根が設けられる。
【００３７】
或いは、前記モップバケツが清浄水を貯める清浄水バケツと、前記清浄水バケツ内に位置する洗浄カゴとを含み；前記清浄水バケツ内に揚水装置が設けられ、前記揚水装置は、清浄水を前記洗浄カゴ内まで吸い上げ、前記支持ヘッドが前記洗浄カゴ内に位置する。
【００３８】
さらに、前記揚水装置と前記支持ヘッドとの間は、伝動機構を通じて連結することで、前記揚水装置が前記伝動機構で駆動される。
【００３９】
さらに、前記揚水装置は、インペラーポンプであり、前記伝動機構が支持ヘッドと連結する駆動歯車と、前記インペラーポンプのインペラーと連結する従動歯車とを含み、前記駆動歯車が前記従動歯車と噛合できる。
【００４０】
さらに、前記清浄水バケツの底面に上に前記洗浄カゴを挿通する中軸が設けられ、前記支持ヘッドは前記中軸の上端に設けられ、前記駆動歯車が前記中軸上を嵌め込む。
【００４１】
さらに、前記中軸に上位置決め部及び下位置決め部が設けられ、前記駆動歯車は前記上位置決め部及び下位置決め部に位置決めすることができ；前記駆動歯車は、前記上位置決め部に位置決めした時、前記駆動歯車と前記従動歯車を分離し、前記駆動歯車が前記下位置決め部に位置決めした時、前記駆動歯車と前記従動歯車が噛合する。
【００４２】
さらに、前記モップバケツ内に洗浄汚水をろ過するめの過濾装置が更に設けられる。
【００４３】
本発明の有利な効果として、洗浄時、揚水装置を通じて水を洗浄部位まで吸い上げて洗浄し、モップヘッドが支持部材に支持されることで、洗浄時モップヘッドを水中に浸漬しないことを実現し、洗浄に省力化となり、基本的に水跳ねしない。
【００４４】
洗浄カゴの洗浄、脱水に用いられる従来昇降位置決め機構の上述の不足を克服するため、本発明は、自動で落下でき、洗浄カゴの洗浄、脱水に用いられる昇降位置決め機構を提供する。
【００４５】
本発明の上記技術的課題を解決する技術的解決策としては、洗浄カゴの洗浄、脱水に用いられる昇降位置決め機構であって、モップヘッドと連結するための支持ヘッドを含み、前記支持ヘッド内に中軸が貫設され、前記中軸に弾性復帰装置が設けられ、前記支持ヘッドは連結装置を通じて位置決め装置に連結され、前記中軸が前記位置決め装置に伴って昇降し、前記位置決め装置に弾性復元装置が設けられ；
前記中軸が外力で押圧された時、前記中軸の押圧作用において前記位置決め装置は径方向外方に突出し；前記中軸は、外力の作用がない時、前記弾性復帰装置の作用下で上昇し、この時前記位置決め装置が弾性復元装置の作用下で径方向に引き込む。
【００４６】
さらに、前記位置決め装置は、斜面を備え、前記中軸が押圧された時、押圧作用力を前記斜面上に加えることで、前記位置決め装置を径方向外方に押し出す。
【００４７】
さらに、前記位置決め装置は、前記連結装置と固結する固定枠と、前記固定枠中内に位置する伸縮部材とを含み、前記斜面が前記伸縮部材に設けられ、前記伸縮部材が外方に向けて前記固定枠を突出でき、前記弾性復元装置が前記固定枠中内に設けられかつ前記伸縮部材に作用する。
【００４８】
さらに、前記伸縮部材は、移動フレームと、前記移動フレーム内に位置する舌片とを含み、前記弾性復元装置が前記移動フレームに作用し、前記斜面が前記移動フレームの尾端に設けられ、前記舌片と前記移動フレームとの間に外方付勢弾性体が設けられ、前記外方付勢弾性体が前記舌片に作用することで、前記舌片に径方向外方に突き出すよう付勢される。
【００４９】
さらに、前記中軸が押圧された時、前記斜面に直接作用する。或いは、前記中軸の下端に押圧ヘッドが設けられ、前記中軸が押圧された時、前記押圧ヘッドが前記斜面に作用する。
【００５０】
さらに、前記連結装置は、前記支持ヘッドの下端に連結する連結筒であり、前記固定枠が前記連結筒の下部に連結される。
【００５１】
さらに、前記弾性復帰装置は、前記押圧ヘッドの下方に位置し、前記弾性復帰装置の上端が前記押圧ヘッドに突っ張り、前記弾性復帰装置の下端が前記固定枠に突っ張る。
【００５２】
さらに、前記中軸にサークリップが設けられ、前記連結筒は前記サークリップの上方に位置するストッパー部を備え、前記中軸が前記ストッパー部を挿通し；
前記弾性復帰装置は前記中軸を嵌め込み、前記弾性復帰装置の上端が前記連結筒に突っ張り、前記弾性復帰装置の下端が前記固定枠に突っ張る。
或いは、前記伸縮部材は、スレッドブロックであり、前記斜面が前記スレッドブロックに設けられ、前記スレッドブロックにスレッドヘッドが設けられ、前記弾性復帰装置が前記中軸を嵌め込み、前記中軸が押圧された時、前記斜面に直接作用する。
【００５３】
さらに、前記固定枠は、昇降機構に設けられ、前記支持ヘッドが前記昇降機構の上端に設けられる。
【発明の効果】
【００５４】
本発明の有利な効果として、洗浄状態においてモップヘッドは、支持ヘッド上に押し付けて低い位置に正常洗浄し、脱水状態においてモップヘッドが支持ヘッド上に押し付けて高い位置に正常脱水する。脱水時、モップヘッドの押圧作用により、中軸を押圧するため、位置決め装置が径方向外方に突出し、モップバケツ内に対応するロックステップを設け、位置決め装置が突出して前記ロックステップ上に置くことで、支持ヘッドを位置決めし；脱水を終えてモップを外した時、中軸は、弾性復帰装置の作用下で上昇し、この時位置決め装置が押圧力を受けず、弾性復元装置の作用下で径方向に引き込むことで、ロックステップの支えを失い、支持ヘッド、中軸、連結装置、位置決め装置等の機構を含んでいずれも自動で落下する。
【図面の簡単な説明】
【００５５】
【図１】本発明のモップバケツの構造を示す模式図である。
【図２】本発明の自動昇降機構が初期状態にある場合の断面図である。
【図３】図２内のＡ部分の部分的拡大図である。
【図４】中心軸が押圧された時の自動昇降機構の断面図である。
【図５】図４内のＢ部分の部分的拡大図である。
【図６】上昇降アセンブリが上昇した後の自動昇降機構の断面図である。
【図７】図６内のＣ部分の部分的拡大図である。
【図８】自動昇降機構の構造を示す模式図である。
【図９】自動昇降機構の立体分解図である。
【図１０】上ラチェットアセンブリ、下ラチェットアセンブリとエジェクタブロックとの間の嵌合を示す模式図である。
【図１１】カムの構造を示す模式図である。
【図１２】昇降筒の構造を示す模式図である。
【図１３】連結スリーブの構造を示す模式図である。
【図１４】エジェクタブロックの構造を示す模式図である。
【図１５】上収容具の構造を示す模式図である。
【図１６】上移動部材の構造を示す模式図である。
【図１７】上ラチェットブロックの構造を示す模式図である。
【図１８】下部筐体の構造を示す模式図である。
【図１９】下収容具の構造を示す模式図である。
【図２０】モップの構造を示す模式図である。
【図２１】螺旋昇降方式を用いた本発明の断面図である。
【図２２】実施例３の立体分解図である。
【図２３】実施例３の洗浄状態図である。
【図２４】実施例３の洗浄状態図である。
【図２５】実施例３の洗浄状態図である。
【図２６】実施例３の脱水状態図である。
【図２７】実施例３内のモップヘッドが支持ヘッドから離脱した状態を示す図である。
【図２８】実施例３内の昇降フレーム上のガイド突起の移動図である。
【図２９】実施例４の断面図である。
【図３０】実施例４の立体分解図である。
【図３１】実施例５の断面図である。
【図３２】実施例５の駆動歯車と従動歯車が嵌合した場合の模式図である。
【図３３】実施例６の構造を示す模式図である。
【図３４】実施例６の構造を洗浄カゴ内に応用した場合の構造を示す模式図である。
【図３５】実施例７の構造を示す模式図である。
【図３６】実施例７の構造を洗浄カゴ内に応用した場合の構造を示す模式図である。
【図３７】実施例７の構造を洗浄カゴ内に応用して位置決めを実現した場合の構造を示す模式図である。
【図３８】実施例７の構造を洗浄カゴ内に応用して位置決めを解除した場合の構造を示す模式図である。
【図３９】実施例８の構造を洗浄カゴ内に応用して位置決めを実現した場合の構造を示す模式図である。
【図４０】実施例８の構造を洗浄カゴ内に応用して位置決めを解除した場合の構造を示す模式図である。
【発明を実施するための形態】
【００５６】
以下、添付図面及び具体的実施形態を組み合わせて本発明をさらに詳細に説明する。
【実施例１】
【００５７】
図１〜図２０を参照すると、モップの洗浄、脱水方法であって、モップ１とモップバケツ２とを含み、モップは、モップハンドルと前記モップハンドルに連結するモップヘッド５とを含み、本実施例において、前記モップヘッド５が前記モップハンドルに回転可能に連結され、モップヘッド３の回転方式には従来技術にある複数の実現方式を用いることができる。本実施例において、前記モップ１は、互いに嵌め合う上部ハンドル３と下部ハンドル４とを含み、前記上部ハンドル３と下部ハンドル４との間に上部ハンドル３の押圧運動を下部ハンドル４の回転運動に変換できる駆動機構が設けられ、前記下部ハンドル４の下端にモップヘッド５が連結され、モップヘッド５に拭取部材が設けられる。上部ハンドル３と下部ハンドル４との間にある駆動機構は、この分野の常用機構であるため、ここでその説明を省略する。当然その他の方式でモップヘッドの回転を実現でき、例えば直接モップハンドルを手回し、或いは前記モップハンドルが電動モップハンドルであり、前記電動モップハンドル内に電動駆動機構を設け、前記電動駆動機構がモップヘッドに連結するモップハンドルの回転を駆動する。
【００５８】
前記モップバケツ２内に自動昇降機構が設けられ、洗浄時、前記モップヘッド５は低い位置の自動昇降機構に置かれ、前記上部ハンドル３を押圧すると、前記モップヘッド５の回転運動を前記自動昇降機構の上昇運動に変換することで、モップヘッド５も上昇し；モップヘッド５は、洗浄及び脱水の終了後、前記自動昇降機構から離脱され、前記自動昇降機構が自動的に下降して元の位置に戻る。
【００５９】
本発明は、洗浄時に自動昇降機構が自動的に上昇することで、モップヘッド５も上昇し、すなわち、洗浄の過程において、モップヘッド５が回転し洗浄しながらゆっくりと上昇し、水面上に上昇すると、回転しているモップヘッド５が回転し脱水し、本発明の洗浄と脱水の操作が一体化し、モップ等を引き上げる必要がなく、かつモップヘッドが洗浄及び脱水の終了後、自動昇降機構から離脱され、前記自動昇降機構が自動的に下降して元の位置に戻るため、操作が非常に簡単である。
【００６０】
本実施例において、前記自動昇降機構は、前記モップヘッドと連結するための支持ヘッド６を含み、モップヘッドが前記支持ヘッドに取り外し可能に連結して洗浄される。支持ヘッド６に内側フック溝７が設けられ、モップヘッド５の背面にスロットが設けられ、スロット内に内方に凸となるフックを有し、洗浄時、支持ヘッド６がスロットに挿入され、フックが内側フック溝７内に係入することで、モップヘッド５と支持ヘッド６が連結し、当然その他の連結方式を用いることもでき、モップヘッド５が支持ヘッド６を回転させることができるだけでよい。前記支持ヘッド６は、さらに動力変換機構と連結し、洗浄時、前記上部ハンドル３を押圧すると、前記モップヘッド５が前記支持ヘッド６を回転させ、前記支持ヘッド６が前記動力変換機構に作用することで、前記動力変換機構が前記支持ヘッド６の上昇をさらに駆動させ、支持ヘッド６が上昇した場合、その上に連結されるモップヘッド５も上昇し；モップヘッドは洗浄及び脱水の終了後、前記支持ヘッド６から離脱され、前記支持ヘッド６が自動的に下降して元の位置に戻る。
【００６１】
本実施例において、前記動力変換機構は、中心軸８を含み、前記支持ヘッド６が前記中心軸８上を嵌め込み、中心軸８の上端が露出し、前記中心軸８上に前記支持ヘッド６下方に位置するカム９が更に嵌め込まれ、前記カム９が前記支持ヘッド６と連結し、本実施例において前記支持ヘッド６と前記カム９とが螺合する。前記カム９の壁面にカム溝１０が設けられる。
【００６２】
前記カム９に昇降筒１１を外嵌し、前記昇降筒１１の内壁にガイド突起１２が設けられ、前記ガイド突起１２は前記カム溝１０内に挿入される。本実施例において、組立の利便性を考慮するため、前記昇降筒１１は筒体１３と、前記筒体１３上に係合する係合具１４とを含み、前記ガイド突起１２が前記係合具１４に設けられる。
【００６３】
前記昇降筒１１内の下部に前記昇降筒と連結する上昇降アセンブリ１５が設けられ、前記上昇降アセンブリ１５の下方に下昇降アセンブリ１６が設けられ、前記下昇降アセンブリ１６が連結アセンブリを通じて前記カム９と連結される。
【００６４】
洗浄時、前記上昇降アセンブリ１５は、前記昇降筒１１に伴い少しずつ一方向に上昇でき、前記下昇降アセンブリ１６が前記カム９に伴い少しずつ一方向に上昇でき、前記上昇降アセンブリ１５と前記下昇降アセンブリ１６は順次交互に上昇し、かつ前記上昇降アセンブリ１５が前記下昇降アセンブリ１６より先に上昇する。その具体的実現構造としては、前記昇降筒１１外側に固定用ラチェットピース１７が更に設けられ、前記ラチェットピース１７上にラチェット歯列１８が設けられ、本実施例において、外筒４０を更に含み、前記ラチェットピース１７は前記外筒４０内に設けられ、前記外筒４０が前記モップバケツ２と固着し；
前記上昇降アセンブリ１５は、前記昇降筒１１と連結する上収容具１９を含み、本実施例にいて、前記上収容具１９に上係止フック２０が設けられ、前記上収容具２０と前記昇降筒１１との間が前記上係止フック２０を通じて連結し；前記上収容具２０内に前記ラチェットピースから離れる又は接近する上ラチェットアセンブリが設けられ、前記上ラチェットアセンブリの先端部に上ラチェット２１を有し、前記上ラチェット２１を前記ラチェット歯列１８内に挿入させることができ、また前記上ラチェット２１を前記ラチェット歯列１８に挿入させた後、前記ラチェット歯列が前記上ラチェットアセンブリの上昇のみを許容し、前記上ラチェットアセンブリの下降を許容せず；
前記上ラチェットアセンブリは、前記上収容具２０内に位置する上移動部材２２を含み、前記上収容具２０内に前記上移動部材２２を内方へ付勢する上内方付勢ばね２３が設けられ；前記上移動部材２２内に上ラチェットブロック２４が設けられ、前記上ラチェット２１は、前記上ラチェットブロック２４の外端に設けられ、前記上移動部材２２内に前記上ラチェットブロック２４を外方へ付勢する上外方付勢ばね２５が設けられ；
前記下昇降アセンブリ１６は、下部筐体２６と、前記下部筐体２６内に連結される下収容具２７とを含み、本実施例において、前記下収容具２７に下係止フック２８が設けられ、前記下収容具２７と前記下部筐体２６との間通が前記下係止フック２８を通じて連結し；前記下収容具２７内に前記ラチェットピース１７から離れる又は接近する下ラチェットアセンブリが設けられ、前記下ラチェットアセンブリの先端部に下ラチェット２９を有し、前記下ラチェット２９を前記ラチェット歯列１８内に挿入させることができ、また前記下ラチェット２９を前記ラチェット歯列１８に挿入させた後、前記ラチェット歯列が前記下ラチェットアセンブリの上昇のみを許容し、前記下ラチェットアセンブリの下降を許容せず；
前記下ラチェットアセンブリは、前記下収容装置２７内に位置する下移動部材３０を含み、前記下収容装置２７内に前記下移動部材３０を内方へ付勢する下内方付勢ばね３１が設けられ；前記下移動部材３０内に下ラチェットブロック３２が設けられ、前記下ラチェット２９は、前記下ラチェットブロック３２の外端に設けられ、前記下移動部材３０内に前記下ラチェットブロック３２を外方へ付勢する下外方付勢ばね３３が設けられる。
【００６５】
前記中心軸８の下端にエジェクタブロック３４が設けられ、前記エジェクタブロック３４は、内側に凹入した凹入部３５と外方に凸となる凸部３６とを含み、前記エジェクタブロック３４の下端が上方付勢ばね３５に突っ張り、前記上方付勢ばね３５の上端が前記エジェクタブロック３４上に突っ張り、前記上方付勢ばね３５の下端が前記下部筐体２６に突っ張ることで、エジェクタブロック３４を上方に押し上げるよう付勢させる。
【００６６】
前記中心軸８が自由状態にある時、前記上移動部材２２の尾端と下移動部材３０の尾端は、前記内側に凹入した凹入部３５内に位置し；洗浄時、前記モップヘッド５で前記中心軸８を押圧すると、前記エジェクタブロックの外方に凸となる凸部３６が上移動部材２２及び下移動部材３０を外方に押すことで、前記上ラチェット２１及び下ラチェット２９を前記ラチェット歯列１８内に挿入させる。
【００６７】
当然、エジェクタブロック３４の具体的構造タイプは、上記構造に限定されず、前記中心軸８が自由状態にある時、前記上ラチェットアセンブリの尾端と下ラチェットアセンブリの尾端が前記エジェクタブロックで突っ張られことで、上ラチェットアセンブリ、下ラチェットアセンブリが力を受けずに引き込む状態になり；洗浄時、中心軸８が押圧されると、前記エジェクタブロックは前記上ラチェットアセンブリ及び下ラチェットアセンブリを外側に押すことで、前記上ラチェット２１及び下ラチェット２９を前記ラチェット歯列内に挿入させるだけでよい。例えば、エジェクタブロック３４は、上下２個設けられ、上部のエジェクタブロックが上ラチェットアセンブリに対応し、下部のエジェクタブロックが下ラチェットアセンブリに対応し、上移動部材に斜面を設け、下移動部材に斜面を設け、上部のエジェクタブロックが押圧されて上移動部材の斜面に押し付け、下部のエジェクタブロックが押圧されて下移動部材の斜面に押し付けると、上移動部材及び下移動部材を径方向外方に突き出すことができる。
【００６８】
前記連結アセンブリは、前記中心軸８上を嵌め込む連結スリーブ３８を含み、前記連結スリーブ３８と前記カム９との間が軸受３９を通じて連結するため、両者間が相対して回転でき、前記エジェクタブロック３４が前記連結スリーブ３８内に位置し、前記下ラチェットアセンブリの下移動部材３０が前記連結スリーブ３８内に突入される。
【００６９】
モップヘッド５は、洗浄及び脱水の終了後、前記支持ヘッド６から離脱され、前記支持ヘッド６、昇降筒１１、カム９、上昇降アセンブリ１５、連結アセンブリ、下昇降アセンブリ１６が自動的に下降して元の位置に戻る。
【００７０】
上記機構を用いた時、本発明の洗浄及び脱水の具体的操作過程としては、初期状態において、支持ヘッド６が低い位置にあり、中心軸８が自由状態にあって外力の押圧を受けず、この時上内方付勢ばね２３の作用下で、上ラチェットアセンブリの上移動部材２２の尾端がエジェクタブロックの内側に凹入した凹入部３５内にあり、下内方付勢ばね３１の作用下で下ラチェットアセンブリの下移動部材３０の尾端がエジェクタブロックの内側に凹入した凹入部３５内にあるため、上ラチェットブロック２４にある上ラチェット２１がラチェットピース１７のラチェット歯列１８内に挿入せず、下ラチェットブロック３２にある下ラチェット２９もラチェットピース１７のラチェット歯列１８内に挿入されない。
【００７１】
洗浄時、モップヘッド５を支持ヘッド６に置き、モップヘッド５と支持ヘッド６とが連結され、モップヘッド５は中心軸８を押圧し、すなわち、エジェクタブロック３４を押圧し、エジェクタブロック３４が押圧された後、エジェクタブロックの外方に凸となる凸部３６が上ラチェットアセンブリ及び下ラチェットアセンブリを外方に押すことで、前記上ラチェット２１及び下ラチェット２９をラチェットピース１７のラチェット歯列１８内に挿入させる。モップの上部ハンドル３を押圧し、駆動機構が下部ハンドル４及びモップヘッド５を回転させることで、モップヘッド５が支持ヘッド６を回転させ、支持ヘッド６の回転によりカム９を回転させるため、昇降筒上のガイド突起１２がカム溝１０に沿って運動することにより昇降筒１１を上昇させ、昇降筒１１の上昇により上昇降アセンブリ１５（上収容具１９、上移動部材２２、上ラチェットブロック２４、上内方付勢ばね２３、上外方付勢ばね２５を含む）も上昇させる。上ラチェットブロックの上ラチェット２１とラチェットピースのラチェット歯列１８は、ラチェット係合であるため、上ラチェットブロックの上ラチェット２１が上昇降アセンブリ１５の上昇を邪魔しない。カム９ が一定程度まで回転した後、昇降筒１１は、最高点まで上昇され、カム９が再度回転した後昇降筒１１が下降され、上昇降アセンブリ１５も下降する。しかしながら、上ラチェットブロックの上ラチェット２１とラチェットピースのラチェット歯列１８がラチェット係合であるため、上昇降アセンブリ１５は下降できず、昇降筒１１も下降できない。この時カム９が回転し続けると、昇降筒のガイド突起１２を支点とし、カム９が回転しながら上昇し、カム９の上昇により支持ヘッド６及び連結スリーブ３８を上昇させ、連結スリーブ３８の上昇によりその中に挿通した下移動部材３０も上昇させることで、下昇降アセンブリ１６（下部筐体２６、下収容具２７、下移動部材３０、下ラチェットブロック３２、下内方付勢ばね３１、下外方付勢ばね３３を含む）が上昇され、下ラチェットブロックの下ラチェット２９とラチェットピースのラチェット歯列１８がラチェット係合であるため、下ラチェットブロックの下ラチェット２９は、下昇降アセンブリの上昇を邪魔しない。下昇降アセンブリ１６が上昇しながらエジェクタブロック３４を同時上昇させ、エジェクタブロックの外方に凸となる凸部３６は、上ラチェットアセンブリ及び下ラチェットアセンブリを外方に押す作用を保持する。よって、支持ヘッド６の上昇により、モップヘッド５も上昇する。
【００７２】
カム９が一定程度まで上昇した後、カム９が回転し続けると、下昇降アセンブリ１６は最高点まで上昇し、カム９が再度回転した後下昇降アセンブリ１６が下降する。しかしながら、下ラチェットブロックの下ラチェット２９とラチェットピースのラチェット歯列１８は、ラチェット係合であるため、下昇降アセンブリ１６が下降できない。この時カム９が回転し続けると、昇降筒１１上のガイド突起１２は再度カム溝１０に沿って運動することで、昇降筒１１を上昇させ、昇降筒１１の上昇により上昇降アセンブリ１５を上昇させる。このように循環動作する場合、支持ヘッド６は継続して上昇し、モップヘッド５も継続して上昇し、モップヘッド５が最初水中で回転し洗浄され、水面上に上昇した後回転し脱水し、モップヘッド５上の拭取部材が遠心脱水した後、モップを取り外し、モップヘッド５は支持ヘッド６から離脱され、中心軸８に押し付けない場合、上方付勢ばね３７の作用下で、エジェクタブロック３４及び中心軸８が上昇し、上ラチェットアセンブリの上移動部材２２の尾端、下ラチェットアセンブリの下移動部材３０の尾端がエジェクタブロックの内側に凹入した凹入部３５内に戻り、上ラチェットブロック上の上ラチェット２１及び下ラチェットブロックの下ラチェット２９は、ラチェットピース１７のラチェット歯列１８から離脱されるため、上昇降アセンブリ１５及び下昇降アセンブリ１６が自動的に落下され、上昇降アセンブリ１５の落下により昇降筒１１を自由落下させて元の位置に戻り、下昇降アセンブリ１６が落下した後中心軸８及びエジェクタブロック３４が支えを失うため、自動的に落下して元の位置に戻る。
【実施例２】
【００７３】
図２１を参照すると、モップ的洗浄、脱水方法であって、前記モップは、モップハンドルとモップヘッドとを含み、モップヘッドに拭取部材が設けられ、拭取部材の洗浄、脱水がモップバケツ内で行い、前記モップバケツ内に支持ヘッド６が取り付けられ、モップヘッドが前記支持ヘッドに取り外し可能に連結して洗浄する。
【００７４】
本実施例において、前記モップヘッドが前記モップハンドルに回転可能に連結され、モップヘッド３の回転方式には従来技術にある複数の実現方式を用いることができる。本実施例において、前記モップ１は、互いに嵌め合う上部ハンドルと下部ハンドルとを含み、前記上部ハンドルと下部ハンドルとの間に上部ハンドルの押圧運動を下部ハンドルの回転運動に変換できる駆動機構が設けられ、前記下部ハンドルの下端にモップヘッドが連結され、モップヘッドに拭取部材が設けられる。上部ハンドルと下部ハンドルとの間にある駆動機構は、この分野の常用機構であるため、ここでその説明を省略する。当然その他の方式でモップヘッドの回転を実現でき、例えば直接モップハンドルを手回し、或いは前記モップハンドルが電動モップハンドルであり、前記電動モップハンドル内に電動駆動機構を設け、前記電動駆動機構がモップヘッドに連結するモップハンドルの回転を駆動する。
【００７５】
前記モップバケツ内に動力変換機構が設けられ、前記支持ヘッド６と前記動力変換機構とが連結し、洗浄時、回転しているモップヘッドは前記支持ヘッド６を回転させ、前記支持ヘッド６が前記動力変換機構に作用することで、前記動力変換機構が前記支持ヘッド６の上昇をさらに駆動し；モップヘッドが、洗浄及び脱水の終了後前記支持ヘッドから離脱され、前記支持ヘッド及び動力変換機構は自動的に下降して元の位置に戻る。
【００７６】
本実施例において、前記動力変換機構は、中心弾性軸３８を含み、前記支持ヘッド６が前記中心弾性軸３８内を嵌め込む。
【００７７】
前記支持ヘッド６は、下向きに延出する支持ヘッド下延出部を備え、前記支持ヘッド下延出部の下端に追動フレーム３９が固定され、前記追動フレーム３９内に弾性伸縮するスレッドブロック４０が設けられ、前記スレッドブロック４０にスレッドヘッド４１が設けられ、前記中心弾性軸３８に復帰ばね４２が嵌め込まれる。本実施例において、前記スレッドブロック４０の尾端に外方に傾斜する傾斜面４３が設けられ、前記中心弾性軸３８の下端が前記傾斜面４３に当接し、中心弾性軸３８が押圧された時、前記傾斜面４３の作用により前記スレッドブロック４０は外方へ突き出される。
【００７８】
前記従動フレー３９内に内部収縮ばね４４が更に設けられ、前記内部収縮ばね４４の作用下で、前記スレッドブロック４０が内方へ前記追動フレーム３９内に引き込む。
【００７９】
前記支持ヘッド６及び支持ヘッド下延出部の外側にスレッドジャケット４５が設けられ、前記スレッドジャケット４５にインターナルスレッドが設けられる。
【００８０】
前記モップヘッドを押圧すると、前記中心弾性軸３８が押圧され、中心弾性軸３８を通じて前記スレッドブロック４０を突き出すことで、前記スレッドブロック上のスレッドヘッド４１と前記インターナルスレッドが嵌合し、回転している支持ヘッド６が追動フレーム３９及び追動フレーム３９内のスレッドブロック４０を回転させ、回転しているスレッドブロック４０がスレッド作用で上昇することで支持ヘッド６及び中心弾性軸３８を上昇させ、モップヘッドが下部洗浄域にある時、回転して洗浄し、モップヘッドを上部脱水域までに上昇した時、回転し脱水し；
脱水を終えた後、モップヘッドは前記支持ヘッド６から離脱し、前記中心弾性軸３８が復帰ばね４２の作用下で上昇し、前記スレッドブロック４０が引き込まれることで、スレッドブロック４０上のスレッドヘッド４１がインターナルスレッドから離脱し、前記支持ヘッド６、中心弾性軸３８及び追動フレーム３９が自動的に落下する。
【実施例３】
【００８１】
図２２〜図２８を参照すると、モップ的洗浄、脱水方法であって、前記モップは、モップハンドルとモップヘッド５とを含み、モップヘッド５に拭取部材が設けられ、拭取部材の洗浄、脱水がモップバケツ２内で行い、前記モップバケツ５内に支持ヘッド６が取り付けられ、モップヘッドが前記支持ヘッドに取り外し可能に連結して洗浄する。
【００８２】
本実施例において、前記モップヘッド５が前記モップハンドルに回転可能に連結され、モップヘッド３の回転方式には従来技術にある複数の実現方式を用いることができる。本実施例において、前記モップ１は、互いに嵌め合う上部ハンドル３と下部ハンドル４とを含み、前記上部ハンドル３と下部ハンドル４との間に上部ハンドル３の押圧運動を下部ハンドル４の回転運動に変換できる駆動機構が設けられ、前記下部ハンドル４の下端にモップヘッド５が連結され、モップヘッド５に拭取部材が設けられる。上部ハンドル３と下部ハンドル４との間にある駆動機構は、この分野の常用機構であるため、ここでその説明を省略する。当然その他の方式でモップヘッドの回転を実現でき、例えば直接モップハンドルを手回し、或いは前記モップハンドルが電動モップハンドルであり、前記電動モップハンドル内に電動駆動機構を設け、前記電動駆動機構がモップヘッドに連結するモップハンドルの回転を駆動する。
【００８３】
前記支持ヘッド６は、弾性昇降機構に連結し、前記支持ヘッド６と前記弾性昇降機構が同時に昇降し、前記モップバケツ内に前記弾性昇降機構に嵌合するガイド機構が設けられる。
【００８４】
洗浄時、前記弾性昇降機構と前記ガイド機構が嵌合し、前記支持ヘッド６及び弾性昇降機構が低い位置に制限され、支持ヘッド６上に支えられるモップヘッド５が下部洗浄域に位置し；
洗い終えた後、前記弾性昇降機構はその自体の弾性力の作用下で上昇し、かつこの時弾性昇降機構と前記ガイド機構が嵌合し、前記支持ヘッド６及び弾性昇降機構が高い位置に制限され、支持ヘッド６上に支えられるモップヘッド５が上部脱水域に位置する。
【００８５】
本実施例において、前記弾性昇降機構は、昇降フレーム４６とばね４７とを含み、前記支持ヘッド６が前記昇降フレーム４６と連結する。本実施例において、前記支持ヘッド６が回転できて、前記昇降フレーム４６にガイド突起４８が設けられ、前記弾性体４７が前記昇降フレーム４６に付勢し、前記昇降フレーム４６を上向きに動かせる。
【００８６】
前記ガイド機構は、前記モップバケツ内に回転可能に設けられた回転ガイド筒４９を含み、前記ばね４７の下端が前記回転ガイド筒４９上に突っ張り、前記回転ガイド筒４９の内壁にガイド溝が設けられ、前記ガイド突起４８が前記ガイド溝内に位置し；前記ガイド溝は、少なくとも２部位の洗浄溝５０、隣り合う洗浄溝５０を連通する遠心脱水溝５１とを含むことで、洗浄溝、遠心脱水溝が１つの循環経路として画成し、前記洗浄溝５０が低い位置にあり、前記遠心脱水溝５１が高い位置にある。本実施例において、回転ガイド筒４９は、内筒５２と外筒５３とを含み、内筒５２及び外筒５３上に凹溝が設けられ、内筒５２の凹溝及び外筒５３凹溝が前記ガイド溝を画成する。
【００８７】
前記洗浄溝５０の上側面に連続する歯形上位置決め溝５４が設けられ、前記洗浄溝の下側面に連続する歯形下位置決め溝５５が設けられ、前記歯形上位置決め溝５４は上斜面を備え、前記歯形下位置決め溝５５が下斜面を備え、洗浄時、前記ガイド突起４８は前記洗浄溝内に位置し、前記上部ハンドル３を押圧すると、前記モップヘッド５が押圧されることで、前記支持ヘッド６及び昇降フレーム４６が押圧され、前記昇降フレーム上のガイド突起４８が下斜面に沿って前記歯形下位置決め溝５５に押圧され；前記上部ハンドルを上に引っ張ると、前記昇降フレーム４６及び支持ヘッド６は、前記ばね４７の作用下で上に移動され、前記昇降フレーム上のガイド突起４８が上斜面に沿って前記歯形上位置決め溝５４内に上に移動されることで、前記モップヘッドが下部洗浄域内において回転し洗浄され；
前記遠心脱水溝５１は、前部連通溝５６と、後部連通溝５７と、前記前部連通溝５６と後部連通溝５７との間に位置する往復遠心脱水溝５８とを含み、前記前部連通溝５６が前方洗浄溝の末端にある歯形下位置決め溝と連通し、前記後部連通溝５７が後方洗浄溝の前端にある歯形下位置決め溝と連通し、前記往復遠心脱水溝５８が前記前部連通溝５６の上部と後部連通溝５７の上部を連通し、かつ前記往復遠心脱水溝５８の下端に遠心脱水支持部５９を備え；
前記上部ハンドル６を連続的に押圧し、上に引っ張ると、前記ガイド突起４８は前方の洗浄溝５０の末端にある歯形下位置決め溝内に移動した後、前記ばね４７の弾性力下で前記昇降フレーム４６が上に移動され、前記昇降フレーム上のガイド突起４８が前記前部連通溝５６までに上に移動し、前記上部ハンドルを押圧した後前記ガイド突起４８が前記遠心脱水支持部５９に支え；再度上部ハンドル３を連続的に押圧し、上に引っ張ると、前記昇降フレーム上のガイド突起４８は、前記往復遠心脱水溝５８内において上下に往復運動することで、前記モップヘッド５が上部脱水域内において回転し脱水され；
脱水を終えた後、昇降フレーム上のガイド突起４８が往復遠心脱水溝５８の上端に当接するまで、モップを引き上げて支持ヘッド６及び昇降フレーム４６を上昇させ、さらにモップを引き上げてモップヘッド５を前記支持ヘッド６から離脱させ、前記支持ヘッド６及び昇降フレーム４６が前記後部連通溝５７に沿って後方洗浄溝の前端にある歯形下位置決め溝内に落下させる。
【００８８】
本実施例において、前記支持ヘッド６と前記昇降フレーム４６との間にプレーンベアリング６０が設けられることで、支持ヘッド６はスムーズに回転できる。前記回転ガイド筒４９が前記モップバケツ内に回転可能に設けられ、前記支持ヘッド６の下端に能動クラッチ歯６１が設けられ、前記回転ガイド筒４９に受動クラッチ歯６２が設けられ、前記支持ヘッド６は押圧された時、前記能動クラッチ歯６１が前記受動クラッチ歯６２に当接することで、前記支持ヘッド６の回転により前記回転ガイド筒４９を回転させ、前記回転ガイド筒４９に導水筒６３を外嵌し、前記導水筒６３が回転ガイド筒に連結し、前記導水筒内に羽根６５が設けられ、前記導水筒６３の上端に洗浄時モップヘッド上の拭取部材と摩擦を起こすことができる洗浄盤６４が設けられる。
【００８９】
洗浄時、上部ハンドルを押圧した時、モップヘッドが押圧され、その拭取部材は洗浄盤６４と接触摩擦し、モップバケツ内の水が回転している導水筒６３のガイド作用により上昇してモップヘッド５にある拭取部材を洗い流し、導水筒６３内の羽根６５が水の上昇に役立つ。上部ハンドル３を上に引っ張ると、支持ヘッドが少し上昇し、モップヘッド５の拭取部材と洗浄盤６４との間に隙間を有し、モップバケツ内の水が回転している導水筒６３のガイド作用により上昇して洗浄盤６４上にある汚れを洗い流す。
【実施例４】
【００９０】
図２９、図３０を参照すると、洗浄時、モップヘッドを水中に浸漬しない清掃用具であって、モップバケツ１ａとモップ２ａとを含み、前記モップ２ａはモップハンドルと前記モップハンドルに連結するモップヘッド３ａとを含み、前記モップバケツ１ａ内に前記モップヘッドを支持するための支持部材、水を前記支持部材上に支持されるモップヘッド部位に吸い上げて洗浄するための揚水装置が設けられる。
【００９１】
本実施例において、前記モップヘッド３ａは、回転でき、洗浄時、前記揚水装置が前記モップヘッド３ａから提供される動力で駆動される。モップヘッド３ａの回転方式には従来技術にある実現方式を用いることができ、すなわち、前記モップのハンドルは、互いに嵌め合う上部ハンドル４ａと下部ハンドル５ａとを含み、前記上部ハンドル４ａと下部ハンドル５ａとの間が回転駆動装置を通じて連結され、回転駆動装置は上部ハンドル４ａと下部ハンドル５ａとの間の伸縮運動を下部ハンドル５ａの回転運動に変換でき、モップヘッド３ａが下部ハンドル５ａの下端に連結される。当然その他の方式でモップヘッドの回転を実現でき、例えば直接モップハンドルを手回し、或いは前記モップハンドル内に電動駆動機構を設けてモップハンドルの回転を駆動することなどである。
【００９２】
具体的に言えば、モップヘッド３ａで揚水装置を駆動する方式として、前記支持部材は、前記モップバケツ内に設けられ、前記モップヘッド３ａと連結するための回転可能な支持ヘッド６ａを含み、前記モップヘッド３ａが支持ヘッド６ａを回転させ；前記揚水装置は、回転している支持ヘッド６ａから動力を提供して駆動される。支持ヘッド６ａとモップヘッド３ａとの間の連結方式は、従来清掃用具内の常用構造を用いることができ、すなわち、支持ヘッド６ａに係着溝が設けられ、モップヘッド３ａの背面に弾性係止爪が設けられ、弾性係止爪が支持ヘッド上に係止すると共に係着溝内に係入でき、モップヘッドを支持ヘッドから離脱したい時直接力を入れて強く抜き出すだけでよき；或いは支持ヘッド６ａの上端が球状として設け、モップヘッド３ａの背面に嵌合溝を設け、支持ヘッドの上端を直接嵌合溝内に挿入するだけで、支持ヘッドとモップヘッドの連結を完成させることができ、モップヘッドを支持ヘッド  から離脱した時直接力を入れて強く抜き出してモップヘッドを支持ヘッドから離脱するだけでよい。
【００９３】
本実施例において、揚水装置の具体的構造タイプとしては、前記モップバケツ内に回転できる回転装置が更に設けられ、前記回転装置は、前記支持ヘッド６ａの下方に位置し、前記支持ヘッド６ａの駆動を受けることで回転し；前記回転装置は、導水路７ａを備え、前記回転装置の回転時、モップバケツ内の水が前記導水路７ａを経由して上に噴射される。水の上向き噴射過程をよりスムーズにさせ、上向き噴射量をより大きくさせるため、通常導水路７ａを上が大きく下が小さい形状として設計する。支持ヘッド６ａで回転装置を駆動する具体的構造タイプとしては、回転装置が筒状のタイプを用い、その中に導水路７ａを設け、前記支持ヘッド６ａの下端に能動クラッチ歯８ａが設けられ、前記回転装置上に受動クラッチ歯９ａが設けられ、前記能動クラッチ歯８ａは前記受動クラッチ歯９ａに当接できることで、前記支持ヘッド６ａの回転により前記回転装置を回転させる。
【００９４】
当然、支持ヘッドによる回転装置の駆動を使用しないこともでき、直接モップヘッドにより回転装置を駆動することができる。例えば、モップヘッドに突出爪部が設けられ、洗浄モップヘッドは支持ヘッドに突っ張り、突出爪部が回転装置と連結し、回転しているモップヘッドが突出爪部を通じて回転装置を回転させる。
【００９５】
本実施例において、前記回転装置の具体的構造タイプとしては、回転内筒１０ａと、前記回転内筒１０ａを外嵌すると共に前記回転内筒１０ａと連結する回転外筒１１ａとを含み、前記回転内筒１０ａと回転外筒１１ａとの間で前記導水路７ａを形成し、受動クラッチ歯９ａが回転内筒１０ａに設けられる。  
【００９６】
モップバケツ内に頂軸１２ａが設けられ、回転装置は前記頂軸１２ａに突っ張られることで回転できる。当然頂軸を設けないこともでき、回転装置はモップバケツの底面に回転可能に設けられ、又は回転サポートの設置等の方式により回転装置を取り付けることで、回転装置を回転できるようにさせる。
【００９７】
本実施例において、前記回転外筒１１ａの下部に下サンドイッチ層１３ａが設けられ、前記下サンドイッチ層１３ａは前記導水路７ａと連通し、前記回転内筒１０ａの下部と前記下サンドイッチ層１３ａの内壁間が係合結合し、組立に便利である。
【００９８】
本実施例において、前記導水路７ａ内に羽根が設けられる。前記下サンドイッチ層１３ａ内に羽根１４ａが設けられる。羽根の役目は、水の上昇である。
【００９９】
本実施例において、前記モップバケツ内に洗浄汚水をろ過するろ過装置が設けられ、ろか装置は洗浄汚水を受けてろ過し、ろ過を経た水が清浄水として使用でき、より節水の目的を達成する。
【実施例５】
【０１００】
図３１、図３２を参照すると、洗浄時、モップヘッドを水中に浸漬しない清掃用具であって、モップバケツ１ａとモップとを含み、前記モップはモップハンドルと前記モップハンドルに連結するモップヘッドとを含み、前記モップバケツ１ａ内に前記モップヘッドを支持するための支持部材、水を前記支持部材上に支持されるモップヘッド部位に吸い上げて洗浄するための揚水装置が設けられる。
【０１０１】
本実施例において、前記モップヘッドは、回転でき、洗浄時、前記揚水装置が前記モップヘッドから提供される動力で駆動される。モップヘッドの回転方式には従来技術にある実現方式を用いることができ、すなわち、前記モップのハンドルは、互いに嵌め合う上部ハンドルと下部ハンドルとを含み、前記上部ハンドルと下部ハンドルとの間が回転駆動装置を通じて連結され、回転駆動装置は上部ハンドルと下部ハンドルとの間の伸縮運動を下部ハンドルの回転運動に変換でき、モップヘッドが下部ハンドルの下端に連結される。当然その他の方式でモップヘッドの回転を実現でき、例えば直接モップハンドルを手回し、或いは前記モップハンドル内に電動駆動機構を設けてモップハンドルの回転を駆動することなどである。
【０１０２】
具体的に言えば、モップヘッドで揚水装置を駆動する方式として、前記支持部材は、前記モップバケツ１ａ内に設けられ、前記モップヘッドと連結するための回転可能な支持ヘッド６ａを含み、前記モップヘッドが支持ヘッド６ａを回転させ；前記揚水装置は、回転している支持ヘッド６ａから動力を提供して駆動される。支持ヘッド６ａとモップヘッドとの間の連結方式は、従来清掃用具内の常用構造を用いることができ、すなわち、支持ヘッドに係着溝が設けられ、モップヘッドの背面に弾性係止爪が設けられ、弾性係止爪が支持ヘッド上に係止すると共に係着溝内に係入でき、モップヘッドを支持ヘッドから離脱したい時直接力を入れて強く抜き出すだけでよき；或いは支持ヘッドの上端が球状として設け、モップヘッドの背面に嵌合溝を設け、支持ヘッドの上端を直接嵌合溝内に挿入するだけで、支持ヘッドとモップヘッドの連結を完成させることができ、モップヘッドを支持ヘッドから離脱した時直接力を入れて強く抜き出してモップヘッドを支持ヘッドから離脱するだけでよい。
【０１０３】
本実施例において、前記モップバケツ１ａは、清浄水を貯める清浄水バケツ１５ａと、前記清浄水バケツ１５ａ内に位置する洗浄カゴ１６ａとを含み、前記支持ヘッド６ａが前記洗浄カゴ１６ａ内に位置し；前記清浄水バケツ１５ａ内に揚水装置が設けられ、前記揚水装置は、清浄水を前記洗浄カゴ１６ａ内まで吸い上げ、前記揚水装置と前記支持ヘッド６ａとの間は、伝動機構を通じて連結することで、前記揚水装置が前記伝動機構で駆動される。
【０１０４】
本実施例において、前記清浄水バケツ１５ａの底面に上に前記洗浄カゴを挿通する中軸１７ａが設けられ、前記支持ヘッド６ａは前記中軸１７ａの上端に設けられる。揚水装置は、具体的にインペラーポンプ１８ａを用い、前記伝動機構が支持ヘッド６ａと連結する駆動歯車１９ａと、前記インペラーポンプ１８ａのインペラーと連結する従動歯車２０ａとを含み、前記駆動歯車１９ａが前記中軸１７ａ上を嵌め込み、前記従動歯車２０ａと噛合でき、モップヘッドは支持ヘッド６ａを回転させ、支持ヘッド６ａが駆動歯車１９ａを回転させ、駆動歯車１９ａが従動歯車２０ａを回転させることで、インペラーポンプ１８ａのインペラーを回転させてインペラーポンプ１８ａによる揚水の目的を達成する。
【０１０５】
本実施例において、前記中軸１７ａに上位置決め凹部及び下位置決め凹が設けられ、前記駆動歯車１９ａに位置決め凸点が設けられ、前記駆動歯車の位置決め凸点は前記上位置決め凹部及び下位置決め凹部内に嵌合して位置決めすることができ；
前記駆動歯車１９ａは、前記上位置決め凹部に位置決めした時、前記駆動歯車１９ａと前記従動歯車２０ａを分離することで、インペラーポンプが動作せず；前記駆動歯車１９ａは、前記下位置決め凹部に位置決めした時、前記駆動歯車１９ａと前記従動歯車２０ａが噛合することで、支持ヘッド６ａが回転した時インペラーポンプ１８ａを動作させることができる。
【０１０６】
本実施例において、前記モップバケツ内に洗浄汚水をろ過するろ過装置が設けられ、ろか装置は洗浄汚水を受けてろ過し、ろ過を経た水が清浄水として使用でき、より節水の目的を達成する。
【実施例６】
【０１０７】
図３３、図３４を参照すると、清掃用具の昇降位置決め機構であって、モップヘッドと連結するための支持ヘッド１ｂを含み、前記支持ヘッド１ｂ内に中軸２ｂが貫設され、前記中軸２ｂに弾性復帰装置３ｂが設けられ、前記支持ヘッド１ｂは連結装置を通じて位置決め装置に連結され、前記中軸２ｂが前記位置決め装置に伴って昇降し、前記位置決め装置に弾性復元装置４ｂが設けられ；
前記中軸２ｂが外力で押圧された時、前記中軸２ｂの押圧作用において前記位置決め装置は径方向外方に突出し；前記中軸２ｂは、外力の作用がない時、前記弾性復帰装置３ｂの作用下で上昇し、この時前記位置決め装置が弾性復元装置４ｂの作用下で径方向に引き込む。
【０１０８】
洗浄状態においてモップヘッドは、支持ヘッド１ｂ上に押し付けて低い位置に正常洗浄し、脱水状態においてモップヘッドが支持ヘッド１ｂ上に押し付けて高い位置に正常脱水する。脱水時、モップヘッドの押圧作用により、中軸２ｂを押圧するため、位置決め装置が径方向外方に突出し、モップバケツ内に対応するロックピース５ｂが設けられ、ロックピース５ｂの上部に外方に凸となるロックステップ６ｂを形成し、位置決め装置が突出して前記ロックステップ６ｂ上に置くことで、位置決めし；脱水を終えてモップを外した時、中軸は、弾性復帰装置３ｂの作用下で上昇し、この時位置決め装置が押圧力を受けず、弾性復元装置４ｂの作用下で径方向に引き込むことで、ロックステップ６ｂの支えを失い、支持ヘッド１ｂ、中軸２ｂ、連結装置、位置決め装置等の機構を含んでいずれも自動で落下する。
【０１０９】
本実施例において、前記位置決め装置は、斜面７ｂを備え、前記中軸２ｂが押圧された時、押圧作用力を前記斜面７ｂ上に加えることで、前記位置決め装置を径方向外方に押し出す。
【０１１０】
本実施例において、位置決め装置の具体的構造として、前記位置決め装置は、前記連結装置と固結する固定枠８ｂと、前記固定枠８ｂ中内に位置する伸縮部材とを含み、前記斜面７ｂが前記伸縮部材に設けられ、前記伸縮部材が外方に向けて前記固定枠８ｂを突出でき、前記弾性復元装置４ｂが前記固定枠中内に設けられかつ前記伸縮部材に作用する。
【０１１１】
前記伸縮部材は、移動フレーム９ｂと、前記移動フレーム９ｂ内に位置する舌片１０ｂとを含み、前記弾性復元装置４ｂが前記移動フレーム９ｂに作用し、前記斜面７ｂが前記移動フレーム９ｂの尾端に設けられ、前記舌片１０ｂと前記移動フレーム９ｂとの間に外方付勢弾性体１１ｂが設けられ、前記外方付勢弾性体１１ｂが前記舌片１０ｂに作用することで、前記舌片１０ｂに径方向外方に突き出すよう付勢される。
【０１１２】
本実施例において、前記連結装置は、前記支持ヘッドの下端に連結する連結筒１２ｂであり、前記固定枠８ｂが前記連結筒１２ｂの下部に連結される。本実施例において、連結筒１２ｂと支持ヘッド１ｂとの間は、軸受１３ｂを通じて連結する。
【０１１３】
前記中軸２ｂが押圧された時、前記斜面７ｂに直接作用する。前記中軸２ｂにサークリップ１４ｂが設けられ、前記連結筒１２ｂは前記サークリップ１４ｂの上方に位置するストッパー部１５ｂを備え、前記中軸２ｂが前記ストッパー部１５ｂを挿通し；前記弾性復帰装置３ｂは、復帰ばねであり、前記復帰ばねが前記中軸２ｂを嵌め込み、前記復帰ばねの上端が前記連結筒１２ｂに突っ張り、前記復帰ばねの下端が前記固定枠８ｂに突っ張る。
【０１１４】
中軸２ｂがモップヘッドで押圧された時、直接斜面に作用して移動フレーム９ｂを径方向外方に突出させることで、移動フレーム９ｂ内の舌片１０ｂも外方に突出され、支持ヘッド１ｂ、連結筒１２ｂ及び固定枠８ｂが上に移動された時、中軸２ｂ、固定枠内の移動フレーム９ｂ、舌片１０ｂも上に移動され、サークリップ１４ｂがストッパー部１５ｂに突っ張り、この時舌片１０ｂが外部のロックピース５ｂの邪魔を受けて内方に圧縮されたため、外方付勢弾性体１１ｂが一定の付勢力を蓄積し、舌片１０ｂがロックステップ６ｂの上方までに移動した時外方付勢弾性体１１ｂの付勢力を放出し、舌片１０ｂを弾出し、舌片１０ｂが前記ロックステップ６ｂ上に置かれることで、支持ヘッド１ｂを位置決めする。脱水終了後モップを取り外した時、中軸２ｂが弾性復帰装置３ｂの作用下で上昇し、この時移動フレーム９ｂは押圧力を受けず、弾性復元装置４ｂの作用下で径方向に引き込まれ、舌片１０ｂも径方向に引き込まれてロックステップ６ｂから離脱することで、ロックステップの支えを失い、支持ヘッド１ｂ、中軸２ｂ、連結装置、位置決め装置を含む機構は、均しく自動的に落下する。
【実施例７】
【０１１５】
図３５、図３６、図３７、図３８を参照すると、清掃用具の昇降位置決め機構であって、モップヘッドと連結するための支持ヘッド１ｂを含み、前記支持ヘッド１ｂ内に中軸２ｂが貫設され、前記中軸２ｂに弾性復帰装置３ｂが設けられ、前記支持ヘッド１ｂは連結装置を通じて位置決め装置に連結され、前記中軸２ｂが前記位置決め装置に伴って昇降し、前記位置決め装置に弾性復元装置４ｂが設けられ；
前記中軸２ｂが外力で押圧された時、前記中軸２ｂの押圧作用において前記位置決め装置は径方向外方に突出し；前記中軸２ｂは、外力の作用がない時、前記弾性復帰装置３ｂの作用下で上昇し、この時前記位置決め装置が弾性復元装置４ｂの作用下で径方向に引き込む。
【０１１６】
洗浄状態においてモップヘッドは、支持ヘッド１ｂ上に押し付けて低い位置に正常洗浄し、脱水状態においてモップヘッドが支持ヘッド１ｂ上に押し付けて高い位置に正常脱水する。脱水時、モップヘッドの押圧作用により、中軸２ｂを押圧するため、位置決め装置が径方向外方に突出し、モップバケツ内に対応するロックピース５ｂが設けられ、ロックピース５ｂ上にロックステップを形成し、位置決め装置が突出して前記ロックステップ上に置くことで、位置決めし；脱水を終えてモップを外した時、中軸２ｂは、弾性復帰装置３ｂの作用下で上昇し、この時位置決め装置が押圧力を受けず、弾性復元装置４ｂの作用下で径方向に引き込むことで、ロックステップの支えを失い、支持ヘッド１ｂ、中軸２ｂ、連結装置、位置決め装置等の機構を含んでいずれも自動で落下する。
【０１１７】
本実施例において、前記位置決め装置は、斜面７ｂを備え、前記中軸２ｂが押圧された時、押圧作用力を前記斜面７ｂ上に加えることで、前記位置決め装置を径方向外方に押し出す。
【０１１８】
本実施例において、前記位置決め装置は、前記連結装置と固結する固定枠８ｂと、前記固定枠８ｂ中内に位置する伸縮部材とを含み、前記斜面７ｂが前記伸縮部材に設けられ、前記伸縮部材が外方に向けて前記固定枠８ｂを突出でき、前記弾性復元装置４ｂが前記固定枠８ｂ中内に設けられかつ前記伸縮部材に作用する。前記連結装置は、前記支持ヘッドの下端に連結する連結筒１２ｂであり、前記固定枠８ｂが前記連結筒１２ｂの下部に連結される。本実施例において、支持ヘッド１ｂと連結筒との間は、軸受１３ｂを通じて連結する。
【０１１９】
前記伸縮部材は、移動フレーム９ｂと、前記移動フレーム９ｂ内に位置する舌片１０ｂとを含み、前記弾性復元装置４ｂが前記移動フレーム９ｂに作用し、前記斜面７ｂが前記移動フレーム９ｂの尾端に設けられ、前記舌片１０ｂと前記移動フレーム９ｂとの間に外方付勢弾性体１１ｂが設けられ、前記外方付勢弾性体１１ｂが前記舌片１０ｂに作用することで、前記舌片１０ｂに径方向外方に突き出すよう付勢される。本実施例において、上記位置決め装置は、４個設けられる。
【０１２０】
前記中軸の下端に押圧ヘッド１６ｂが設けられ、前記中軸２ｂが押圧された時、前記押圧ヘッド１６ｂが前記斜面７ｂに作用する。前記弾性復帰装置３ｂは、復帰ばねであり、前記復帰ばねが前記押圧ヘッド１６ｂの下方に位置し、前記復帰ばねの上端が押圧ヘッド１６ｂに突っ張り、前記復帰ばねの下端が前記固定枠８ｂに突っ張る。
【０１２１】
中軸２ｂがモップヘッドで押圧された時、押圧ヘッド上の押圧斜面１７ｂは直接斜面７ｂに作用して移動フレーム９ｂを径方向外方に突出させることで、移動フレーム９ｂ内の舌片１０ｂも外方に突出され、支持ヘッド１ｂ、連結筒１２ｂ及び固定枠８ｂが上に移動された時、中軸２ｂ、固定枠３ｂ内の移動フレーム９ｂ、舌片１０ｂも上に移動され、舌片１０ｂはラチェットタイプとして設計し、ロックピース７ｂにラチェット歯列１８ｂが設けられ、ラチェットをラチェット歯列１８ｂ内に挿入させ、両者間が一方向係合であり、ラチェット歯列１８ｂ上端のラチェットがロックステップを形成し、外方付勢弾性体１１ｂの作用において、舌片１０ｂをラチェット歯列１８ｂ内に挿入させることで、支持ヘッド１ｂを位置決めする。脱水終了後モップを取り外した時、中軸が弾性復元装置４ｂの作用下で上昇し、この時移動フレーム９ｂは押圧力を受けず、弾性復元装置４ｂの作用下で径方向に引き込まれ、舌片１０ｂも径方向に引き込まれてラチェット歯列１８ｂから離脱することで、ラチェット歯列１８ｂの支えを失い、支持ヘッド１ｂ、中軸２ｂ、連結装置、位置決め装置を含む機構は、均しく自動的に落下する。
【実施例８】
【０１２２】
図３９、図４０を参照すると、清掃用具の昇降位置決め機構であって、モップヘッドと連結するための支持ヘッド１ｂを含み、前記支持ヘッド１ｂ内に中軸２ｂが貫設され、前記中軸２ｂに弾性復帰装置３ｂが設けられ、前記支持ヘッド１ｂは連結装置を通じて位置決め装置に連結され、前記中軸２ｂが前記位置決め装置に伴って昇降し、前記位置決め装置に弾性復元装置４ｂが設けられ；
前記中軸２ｂが外力で押圧された時、前記中軸２ｂの押圧作用において前記位置決め装置は径方向外方に突出し；前記中軸２ｂは、外力の作用がない時、前記弾性復帰装置３ｂの作用下で上昇し、この時前記位置決め装置が弾性復元装置４ｂの作用下で径方向に引き込む。
【０１２３】
洗浄状態においてモップヘッドは、支持ヘッド１ｂ上に押し付けて低い位置に正常洗浄し、脱水状態においてモップヘッドが支持ヘッド１ｂ上に押し付けて高い位置に正常脱水する。脱水時、モップヘッドの押圧作用により、中軸２ｂを押圧するため、位置決め装置が径方向外方に突出し、モップバケツ内に対応するロックピースが設けられ、ロックピース上にロックステップを形成し、位置決め装置が突出して前記ロックステップ上に置くことで、位置決めし；脱水を終えてモップを外した時、中軸２ｂは、弾性復帰装置３ｂの作用下で上昇し、この時位置決め装置が押圧力を受けず、弾性復元装置４ｂの作用下で径方向に引き込むことで、ロックステップの支えを失い、支持ヘッド１ｂ、中軸２ｂ、連結装置、位置決め装置等の機構を含んでいずれも自動で落下する。
【０１２４】
本実施例において、前記位置決め装置上に斜面７ｂを有し、前記中軸２ｂが押圧された時押圧作用力を前記斜面７ｂに加えることで、前記位置決め装置を径方向外方に押し出す。
【０１２５】
本実施例において、前記位置決め装置は、前記連結装置と固結する固定枠８ｂと、前記固定枠８ｂ中内に位置する伸縮部材とを含み、前記斜面７ｂが前記伸縮部材に設けられ、前記伸縮部材が外方に向けて前記固定枠８ｂを突出でき、前記弾性復元装置４ｂが前記固定枠８ｂ中内に設けられかつ前記伸縮部材に作用する。
【０１２６】
本実施例において、前記伸縮部材は、スレッドブロック１９ｂであり、前記固定枠８ｂが昇降機構２０ｂに設けられ、前記支持ヘッド１が前記昇降機構２０ｂの上端に設けられる。本実施例において、前記昇降機構２０ｂは支持ヘッドの下向き延出部である。
【０１２７】
前記スレッドブロックにスレッドヘッドが設けられ、前記支持ヘッド１ｂの外側にスレッドジャケット２１ｂが設けられ、前記スレッドジャケット２１ｂにインターナルスレッド２２ｂが設けられ、インターナルスレッド２２ｂは位置決めステップを形成し；
前記中軸２ｂが押圧され、中軸２ｂを通じて直接斜面に作用して前記スレッドブロック１９ｂを突き出すことで、前記スレッドブロック１９ｂ上のスレッドヘッドが前記インターナルスレッド２２ｂと嵌合し、回転している支持ヘッド１ｂは固定枠８ｂ及び固定枠８ｂ内のスレッドブロック１９ｂを回転させ、回転しているスレッドブロック１９ｂがスレッド作用で上昇し；中軸は、弾性復帰装置３ｂの作用で上昇され、前記スレッドブロック１９ｂが引き込むことで、スレッドブロック１９ｂ上のスレッドヘッドがインターナルスレッドから離脱することで、支持ヘッド１ｂ、中軸２ｂ、連結装置、位置決め装置を含む機構は、均しく自動的に落下する。
【図１】
2019524286.tif 000003
【図２】
2019524286.tif 000004
【図３】
2019524286.tif 000005
【図４】
2019524286.tif 000006
【図５】
2019524286.tif 000007
【図６】
2019524286.tif 000008
【図７】
2019524286.tif 000009
【図８】
2019524286.tif 000010
【図９】
2019524286.tif 000011
【図１０】
2019524286.tif 000012
【図１１】
2019524286.tif 000013
【図１２】
2019524286.tif 000014
【図１３】
2019524286.tif 000015
【図１４】
2019524286.tif 000016
【図１５】
2019524286.tif 000017
【図１６】
2019524286.tif 000018
【図１７】
2019524286.tif 000019
【図１８】
2019524286.tif 000020
【図１９】
2019524286.tif 000021
【図２０】
2019524286.tif 000022
【図２１】
2019524286.tif 000023
【図２２】
2019524286.tif 000024
【図２３】
2019524286.tif 000025
【図２４】
2019524286.tif 000026
【図２５】
2019524286.tif 000027
【図２６】
2019524286.tif 000028
【図２７】
2019524286.tif 000029
【図２８】
2019524286.tif 000030
【図２９】
2019524286.tif 000031
【図３０】
2019524286.tif 000032
【図３１】
2019524286.tif 000033
【図３２】
2019524286.tif 000034
【図３３】
2019524286.tif 000035
【図３４】
2019524286.tif 000036
【図３５】
2019524286.tif 000037
【図３６】
2019524286.tif 000038
【図３７】
2019524286.tif 000039
【図３８】
2019524286.tif 000040
【図３９】
2019524286.tif 000041
【図４０】
2019524286.tif 000042
【国際調査報告】
2019524286.tif 000043
2019524286.tif 000044
2019524286.tif 000045
2019524286.tif 000046
2019524286.tif 000047
2019524286.tif 000048